(57)【要約】【課題】被収納物を包装するための包装箱で、包装箱の一部を取り除くことにより被収納物を陳列することができる包装箱において、包装箱の一部を取り除く作業を容易に行うことができ、よって、被収納物の陳列作業を容易に行なうことができる包装箱を提供する。【解決手段】包装箱１は、本体部３と副体部１０１とを有し、本体部３は、スリーブ状部５と底面部５０を有し、背面部４０においては、分離部４４が切目線Ｋ４４を介して分離可能となっている。また、正面部１０には、上方に開口した切欠部Ｋ１０が設けられている。副体部１０１は、分離部４４に接着された背面部１４０と上面部１５０と正面部１１０とフラップ１６０とを有し、副体部１０１を閉状態にするには、フラップ１６０が左側面部２０の内側となり、正面部１１０が正面部１０の内側となるようにする。副体部１０１を取り除くには、切目線Ｋ４４を破断して分離部４４を本体部４２から分離する。【選択図】図１
2019018884.tif 000002
【特許請求の範囲】
【請求項１】
包装箱であって、
本体部（３、３Ａ、３Ｂ、３Ｃ）と副体部（１０１、１０１Ａ、１０１Ｂ、１０１Ｃ）とを有し、
本体部と副体部が、ともに、シート状のブランクにより形成され、
本体部が、
底面部（５０）と、
底面部の各辺から立設する側面構成部で、本体部正面部（１０）と、本体部第１側面部（２０）と、本体部第２側面部（３０）と、本体部背面部（４０）とを有する側面構成部（５）と、を有し、
本体部第１側面部と本体部第２側面部の一方の側が左側面側であり、本体部第１側面部と本体部第２側面部の他方の側が右側面側であり、
本体部背面部の一部が分離部（４４）として本体部背面部における分離部以外の部分である背面本体部（４２）と切目線を介して分離可能に形成され、
副体部が、
副体部正面部（１１０）と、副体部背面部（１４０）と、上面部（１５０）と、フラップ（１６０）とを有し、
副体部正面部は、上面部の正面側の辺部から折れ線を介して連設され、
フラップは、上面部の本体部第１側面部側の辺部から折れ線を介して連設され、
副体部背面部は、上面部の背面側の辺部から折れ線を介して連設され、副体部背面部は、本体部背面部の外側の面に沿って設けられ、分離部の外側の面に接着され、
副体部を閉状態とするには、フラップを上面部に対して折り曲げた状態で、フラップが本体部第１側面部（２０）の内側となるようにするとともに、副体部正面部が上面部に対して折り曲げた状態で、副体部正面部が本体部正面部の内側となるようにして、本体部の上面側を上面部により閉じた状態とし、
切目線を破断して分離部を背面部本体部から分離することにより、副体部が包装箱から取り除かれることを特徴とする包装箱。
【請求項２】
分離部は、本体部背面部の下辺の一部である下辺部分（４４ａ）と該切目線により囲まれており、
分離部の下端に指を係止した状態で、分離部の下端を外側にひっぱることにより切目線が破断することを特徴とする請求項１に記載の包装箱。
【請求項３】
底面部には、該下辺部分における少なくとも一部を辺部とする開口部（９３）が形成されていることを特徴とする請求項２に記載の包装箱。
【請求項４】
本体部正面部には、上方に開口した切欠部（Ｋ１０）が設けられ、副体部を閉状態にした際には、副体部正面部の少なくとも先端側の辺部（１１０ｃ）は本体部正面部の背面側に位置することを特徴とする請求項１又は２又は３に記載の包装箱。
【請求項５】
本体部第１側面部と本体部第２側面部のいずれかである特定側面部には、上方に開口した切欠部を特定側面部に形成するための切目線である切欠部形成用切目線（Ｋ２４）が形成され、該切欠部形成用切目線を破断することにより特定側面部の上辺と切欠部形成用切目線に沿った辺部により囲まれた切取り部（２４）が特定側面部から取り除かれることを特徴とする請求項１又は２又は３に記載の包装箱。
【請求項６】
副体部を閉状態にした際には、副体部正面部の先端側の辺部が、底面部の上面に接することを特徴とする請求項１又は２又は３又は４又は５に記載の包装箱。
【請求項７】
包装箱であって、
本体部（２０３）と副体部（３０１、３０１Ａ）とを有し、
本体部と副体部が、ともに、シート状のブランクにより形成され、
本体部が、
底面部（２５０）と、
底面部の各辺から立設する側面構成部で、本体部正面部（２１０）と、本体部第１側面部（２２０）と、本体部第２側面部（２３０）と、本体部背面部（２４０）とを有する側面構成部（２０５）と、を有し、
本体部第１側面部と本体部第２側面部の一方の側が左側面側であり、本体部第１側面部と本体部第２側面部の他方の側が右側面側であり、
本体部背面部の一部が分離部（２４４）として本体部背面部における分離部以外の部分である背面本体部（２４２）と切目線を介して分離可能に形成され、
副体部が、
副体部正面部（３１０）と、副体部背面部（３４０）と、上面部（３５０）と、フラップ（３６０）とを有し、
副体部正面部は、上面部の正面側の辺部から折れ線を介して連設され、
フラップは、上面部の本体部第１側面部側の辺部から折れ線を介して連設され、
副体部背面部は、上面部の背面側の辺部から折れ線を介して連設され、副体部背面部は、本体部背面部の外側の面に沿って設けられ、分離部の外側の面に接着され、
副体部正面部には、差込み片（３２２）が設けられるとともに、本体部正面部には、差込み片を差し込むための被差込み部（２１２）が設けられ、
副体部を閉状態とするには、フラップを上面部に対して折り曲げた状態で、フラップが本体部第１側面部（２０）の内側となるようにするとともに、差込み片を被差込み部に差し込むことにより、本体部の上面側を上面部により閉じた状態とし、
差込み片を被差込み部から抜くとともに切目線を破断して分離部を背面部本体部から分離することにより、副体部が包装箱から取り除かれることを特徴とする包装箱。
【請求項８】
分離部は、本体部背面部の上辺の一部である上辺部分（２４０ｃ）と該切目線により囲まれており、
分離部を背面部本体部から分離した際には、本体部背面部には、上方に開口した切欠部が形成されることを特徴とする請求項７に記載の包装箱。
【請求項９】
上面部の本体部第１側面部側には、突状部（１５３Ａ、１５４、１５６、３５４、３５６）が設けられ、フラップは、本体部第１側面部側の辺部における突状部が形成された部分以外の辺部から折れ線を介して連設され、
突状部の先端が、左右方向において、本体部第１側面部の内側の面よりも外側に突出するとともに、上面部の本体部第２側面部側の辺部に沿った端部領域（１５８、３５８）における本部第２側面部側の先端が、左右方向において、本体部第２側面部の内側の面よりも外側に突出し、
副体部を閉状態にした際には、突状部が、本体部第１側面部の上辺の上側にあり、上面部の本体部第２側面部側の辺部に沿った端部領域が、本体部第２側面部の上辺の上側にあることを特徴とする請求項１又は２又は３又は４又は５又は６又は７又は８に記載の包装箱。
【請求項１０】
本体部第２側面部の正面側の辺部から折れ線を介して糊代部（４９、２４９）が連設され、該糊代部が本体部正面部の本体部第２側面部側の端部領域に接着され、本体部正面部と本体部第１側面部と本体部第２側面部と本体部背面部とにおける互いに隣接する各部は、糊代部を介して連設された本体部正面部と本体部第２側面部を除き、折れ線を介して連設されており、
フラップは、上面部における本体部第１側面部側の辺部のみから折れ線を介して連設されていることを特徴とする請求項１又は２又は３又は４又は５又は６又は７又は８又は９に記載の包装箱。
【請求項１１】
上面部の本体部第２側面部側の辺部から折れ線を介して第２フラップ（１７０、３７０）が連設され、
副体部を閉状態にするには、第２フラップを上面部に対して折り曲げた状態で、第２フラップが、本体部第２側面部の内側となるようにすることを特徴とする請求項１又は２又は３又は４又は５又は６又は７又は８に記載の包装箱。
【請求項１２】
上面部の本体部第１側面部側には、突状部（１５３Ａ、１５４、１５６、３５４、３５６）が設けられ、フラップは、本体部第１側面部側の辺部における突状部が形成された部分以外の辺部から折れ線を介して連設され、突状部の先端が、左右方向において、本体部第１側面部の内側の面よりも外側に突出し、
上面部の本体部第２側面部側には、第２突状部（１５３Ｂ、１５５、１５７、３５５、３５７）が設けられ、第２フラップは、本体部第２側面部側の辺部における第２突状部が形成された部分以外の辺部から折れ線を介して連設され、第２突状部の先端が、左右方向において、本体部第２側面部の内側の面よりも外側に突出し、
副体部を閉状態にした際には、突状部が、本体部第１側面部の上辺の上側にあり、第２突状部が、本体部第２側面部の上辺の上側にあることを特徴とする請求項１１に記載の包装箱。
【請求項１３】
側面部構成部が、本体部正面部、本体部第１側面部、本体部背面部、本体部第２側面部の順に連設され、
底面部が、ワンタッチ底により形成され、本体部正面部の下辺から連設された底面部第１片部（６０）と、本体部第１側面部の下辺から連設された底面部第２片部（７０）と、本体部第２側面部の下辺から連設された底面部第３片部（８０）と、本体部背面部の下辺から連設された底面部第４片部（９０）とを有し、
底面部第１片部と底面部第２片部からなる底面部第１片部対の一方における他方の側の部分である第１端部領域（７４）が折れ線を介して折曲げ可能であり、該第１端部領域が底面部第１片部対における他方に接着され、
底面部第３片部と底面部第４片部からなる底面部第２片部対の一方における他方の側の部分である第２端部領域（８４）が折れ線を介して折曲げ可能であり、該第２端部領域が底面部第２片部対における他方に接着されていることを特徴とする請求項１又は２又は３又は４又は５又は６又は７又は８又は９又は１０又は１１又は１２に記載の包装箱。
【請求項１４】
包装箱であって、
本体部（３Ｃ）と副体部（１０１Ｃ）とを有し、
本体部と副体部が、ともに、シート状のブランクにより形成され、
本体部が、
底面部（５０）と、
底面部の各辺から立設する側面構成部で、本体部正面部（１０）と、本体部第１側面部（２０）と、本体部第２側面部（３０）と、本体部背面部（４０）と、糊代部（４９）とを有し、本体部正面部、本体部第１側面部、本体部背面部、本体部第２側面部、糊代部の順に連設された側面構成部（５）と、を有し、
本体部第１側面部と本体部第２側面部の一方の側が側面構成部の左側面側となり、本体部第１側面部と本体部第２側面部の他方の側が側面構成部の右側面側となり、
糊代部が、本体部正面部の本体部第２側面部側の端部領域に接着され、
本体部正面部には、上方に開口した切欠部（Ｋ１０）が設けられ、
本体部背面部の一部が分離部（４４）として本体部背面部における分離部以外の部分である背面本体部（４２）と切目線を介して分離可能に形成され、分離部は、本体部背面部の下辺の一部である下辺部分（４４ａ）と該切目線により囲まれており、
底面部には、該下辺部分における少なくとも一部を辺部とする開口部（９３）が形成され、
副体部が、
副体部正面部（１１０）と、副体部背面部（１４０）と、上面部（１５０）と、フラップ（１７０）とを有し、
副体部正面部は、上面部の正面側の辺部から折れ線を介して連設され、
フラップは、上面部の本体部第２側面部側の辺部から折れ線を介して連設され、
副体部背面部は、上面部の背面側の辺部から折れ線を介して連設され、副体部背面部は、本体部背面部の外側の面に沿って設けられ、分離部の外側の面に接着され、
上面部の本体部第２側面部側には、突状部（１５３Ｂ、１５５、１５７）が設けられ、フラップは、上面部の本体部第２側面部側の辺部における突状部が形成された部分以外の辺部から折れ線を介して連設され、突状部の先端が、左右方向において、本体部第２側面部の内側の面よりも外側に突出し、
副体部を閉状態とするには、フラップを上面部に対して折り曲げた状態で、フラップが本体部第１側面部（２０）の内側となるようにするとともに、副体部正面部が上面部に対して折り曲げた状態で、副体部正面部が本体部正面部の内側となるようにして、本体部の上面側を上面部により閉じた状態とし、
副体部を閉状態にした際には、副体部正面部の少なくとも先端側の辺部（１１０ｃ）は、本体部正面部の背面側に位置し、突状部が、本体部第２側面部の上辺の上側にあり、
分離部の下端に指を係止した状態で、分離部の下端を外側にひっぱり切目線を破断して分離部を背面部本体部から分離することにより、副体部が包装箱から取り除かれることを特徴とする包装箱。
【請求項１５】
上面部の本体部第１側面部側の辺部から折れ線を介して第２フラップ（１６０）が連設され、
上面部の本体部第１側面部側には、第２突状部（１５３Ａ、１５４、１５６）が設けられ、第２フラップは、本体部第１側面部側の辺部における第２突状部が形成された部分以外の辺部から折れ線を介して連設され、第２突状部の先端が、左右方向において、本体部第１側面部の内側の面よりも外側に突出し、
副体部を閉状態にするには、第２フラップを上面部に対して折り曲げた状態で、第２フラップが、本体部第１側面部の内側となるようにし、
副体部を閉状態にした際には、第２突状部が、本体部第１側面部の上辺の上側にあることを特徴とする請求項１４に記載の包装箱。
【請求項１６】
側面部構成部が、本体部第２側面部、本体部正面部、本体部第１側面部、本体部背面部の順に連設され、
底面部が、ワンタッチ底により形成され、本体部第２側面部の下辺から連設された底面部第１片部（６０）と、本体部正面部の下辺から連設された底面部第２片部（７０）と、本体部背面部の下辺から連設された底面部第３片部（８０）と、本体部第１側面部の下辺から連設された底面部第４片部（９０）とを有し、
底面部第１片部と底面部第２片部からなる底面部第１片部対の一方における他方の側の部分である第１端部領域（７４）が折れ線を介して折曲げ可能であり、該第１端部領域が底面部第１片部対における他方に接着され、
底面部第３片部と底面部第４片部からなる底面部第２片部対の一方における他方の側の部分である第２端部領域（８４）が折れ線を介して折曲げ可能であり、該第２端部領域が底面部第２片部対における他方に接着されていることを特徴とする請求項１４又は１５に記載の包装箱。
【請求項１７】
包装箱であって、本体部（３Ｃ）と副体部（１０１Ｃ）とを有し、本体部と副体部が、ともに、シート状のブランクにより形成され、本体部が、底面部（５０）と、底面部の各辺から立設する側面構成部で、本体部正面部（１０）と、本体部第１側面部（２０）と、本体部第２側面部（３０）と、本体部背面部（４０）と、糊代部（４９）とを有し、本体部第２側面部、本体部正面部、本体部第１側面部、本体部背面部、糊代部の順に連設された側面構成部（５）と、を有し、本体部第１側面部と本体部第２側面部の一方の側が側面構成部の左側面側となり、本体部第１側面部と本体部第２側面部の他方の側が側面構成部の右側面側となり、糊代部が、本体部第２側面部の背面側の端部領域に接着され、本体部正面部には、上方に開口した切欠部（Ｋ１０）が設けられ、本体部背面部の一部が分離部（４４）として本体部背面部における分離部以外の部分である背面本体部（４２）と切目線を介して分離可能に形成され、底面部が、ワンタッチ底により形成され、本体部第２側面部の下辺から連設された底面部第１片部（６０）と、本体部正面部の下辺から連設された底面部第２片部（７０）と、本体部背面部の下辺から連設された底面部第３片部（８０）と、本体部第１側面部の下辺から連設された底面部第４片部（９０）とを有し、底面部第１片部と底面部第２片部からなる底面部第１片部対の一方における他方の側の部分である第１端部領域（７４）が折れ線を介して折曲げ可能であり、該第１端部領域が底面部第１片部対における他方に接着され、底面部第３片部と底面部第４片部からなる底面部第２片部対の一方における他方の側の部分である第２端部領域（８４）が折れ線を介して折曲げ可能であり、該第２端部領域が底面部第２片部対における他方に接着され、副体部が、副体部正面部（１１０）と、副体部背面部（１４０）と、上面部（１５０）と、フラップ（１７０）とを有し、副体部正面部は、上面部の正面側の辺部から折れ線を介して連設され、フラップは、上面部の本体部第２側面部側の辺部から折れ線を介して連設され、副体部背面部は、上面部の背面側の辺部から折れ線を介して連設され、副体部背面部は、本体部背面部の外側の面に沿って設けられ、分離部の外側の面に接着され、副体部を閉状態とするには、フラップを上面部に対して折り曲げた状態で、フラップが本体部第２側面部（３０）の内側となるようにするとともに、副体部正面部が上面部に対して折り曲げた状態で、副体部正面部が本体部正面部の内側となるようにして、本体部の上面側を上面部により閉じた状態とし、切目線を破断して分離部を背面部本体部から分離することにより、副体部が包装箱から取り除かれる包装箱の製造方法であって、
展開状態の副体部に展開状態の本体部を接着する第１接着工程であって、副体部背面部と本体部背面部を重ねた状態で、分離部と副体部背面部を接着させる第１接着工程と、
底面部第１片部と底面部第２片部を側面構成部に対して折り返し第１端部領域を外側に折り返すとともに、第１端部領域と、底面部第１片部と底面部第２片部の他方における第１端部領域が接着する領域のいずれかに接着剤を塗布した状態で、本体部第２側面部を本体部正面部に対して折り返すことにより、第１端部領域と、底面部第１片部と底面部第２片部の他方とを接着する第２接着工程と、
底面部第３片部と底面部第４片部を側面構成部に対して折り返し第２端部領域を外側に折り返すとともに、第２端部領域と、底面部第３片部と底面部第４片部の他方における第２端部領域が接着する領域のいずれかと、糊代部と本体部第２側面部における糊代部が接着する領域のいずれとに接着剤を塗布した状態で、本体部背面部を本体部第１側面部に対して折り返すことにより、第２端部領域と、底面部第３片部と底面部第４片部の他方とを接着するとともに、糊代部と本体部第２側面部を接着する第３接着工程と、
を有することを特徴とする包装箱の製造方法。
【発明の詳細な説明】
【技術分野】
【０００１】
本発明は、包装箱に関するものであり、特に、包装箱の一部を取り除くことにより被収納物を陳列することができる包装箱に関するものである。
【背景技術】
【０００２】
従来より、包装箱の一部を取り除くことにより被収納物を陳列することができる包装箱として、特許文献１及び特許文献２の展示用収容箱が存在する。
【０００３】
この特許文献１及び特許文献２の展示用収容箱は、有底四角筒状の収容体１１と、有蓋四角筒状をなし収容体１１を覆う状態で接着される蓋体１２とを有し、収容体１１と蓋体１２とが、収容体１１の正面接着部１４Ｆと蓋体１２の正面開封部１６Ｆ、及び、収容体１１の背面接着部１４Ｂと蓋体１２の蓋背面壁１２Ｂで接着されていて、蓋体１２の正面開封部１６Ｆを切り取ることにより、正面接着部１４Ｆを収容体１１から切り取り、さらに、蓋体１２を回転操作することにより背面接着部１４Ｂを収容体１１から切り取ることにより、蓋体１２を収容体１１から取り外して使用する。
【０００４】
また、出願人は、底面部５０と、スリーブ状部５を有する内箱部で、スリーブ状部５の側面部２０、３０の一部が分離部２４、３４として他の部分と切目線を介して分離可能な内箱部Ａ１と、内箱部を覆う外箱部で、スリーブ状部５を構成する正面部１０、側面部２０、３０、背面部４０に対応して正面部１１０、正面部１２０、１３０、背面部１４０を有するスリーブ状部１０５と、上面部１６０〜１９０とを有し、分離部２４、３４が設けられた側面部２０、３０に対応した側面部１２０、１３０には、切目線により形成された片部１２６、１３６が分離部２４、３４と接着されている外箱部Ａ２と、を有し、外箱部Ａ２の片部１２６、１３６を外側に回動することにより分離部２４、３４が片部１２６、１３６に接着した状態のまま内箱部Ａ１から分離し、その後、外箱部Ａ２を上方に引き上げて取り除くことにより、内箱部Ａ１に収納された状態の商品を陳列することができる包装箱として、特許文献３に示す先行技術文献についての出願を行っている。
【先行技術文献】
【特許文献】
【０００５】
【特許文献１】特開２０１２−３０８９２号公報
【特許文献２】特開２０１２−６２１２３号公報
【特許文献３】実用新案登録第３１３９９４８号公報
【発明の概要】
【発明が解決しようとする課題】
【０００６】
しかし、特許文献１、２の展示用収容箱においては、収容体１１と蓋体１２とが正面側と背面側とで接着されているため、正面側と背面側の２箇所を破断する必要があって、陳列のための作業に手間を要する。つまり、正面接着部１４Ｆを収容体１１から切り取るとともに、背面接着部１４Ｂを収容体１１から切り取る必要があり、蓋体を取り除く作業に手間と時間を要してしまい、結果として、陳列作業に手間と時間を要してしまう。
【０００７】
また、特許文献３の包装箱においても、商品の陳列作業のために外箱部Ａ２を取り除く際に、包装箱の右側面側と左側面側の２箇所を破断する必要があり、陳列のための作業に手間を要する。つまり、片部１２６を回動させて分離部２４を内箱部Ａ１から分離させるとともに、片部１３６を回動させて分離部３４を内箱部Ａ１から分離させる必要があり、外箱部を取り除く作業に手間と時間を要してしまい、結果として、陳列作業に手間と時間を要してしまう。
【０００８】
そこで、本発明は、被収納物を包装するための包装箱で、包装箱の一部を取り除くことにより被収納物を陳列することができる包装箱において、包装箱の一部を取り除く作業を容易に行うことができ、よって、被収納物の陳列作業を容易に行なうことができる包装箱を提供することを目的とするものである。
【課題を解決するための手段】
【０００９】
本発明は上記問題点を解決するために創作されたものであって、第１には、包装箱であって、本体部（３、３Ａ、３Ｂ、３Ｃ）と副体部（１０１、１０１Ａ、１０１Ｂ、１０１Ｃ）とを有し、本体部と副体部が、ともに、シート状のブランクにより形成され、本体部が、底面部（５０）と、底面部の各辺から立設する側面構成部で、本体部正面部（１０）と、本体部第１側面部（２０）と、本体部第２側面部（３０）と、本体部背面部（４０）とを有する側面構成部（５）と、を有し、本体部第１側面部と本体部第２側面部の一方の側が左側面側であり、本体部第１側面部と本体部第２側面部の他方の側が右側面側であり、本体部背面部の一部が分離部（４４）として本体部背面部における分離部以外の部分である背面本体部（４２）と切目線を介して分離可能に形成され、副体部が、副体部正面部（１１０）と、副体部背面部（１４０）と、上面部（１５０）と、フラップ（１６０）とを有し、副体部正面部は、上面部の正面側の辺部から折れ線を介して連設され、フラップは、上面部の本体部第１側面部側の辺部から折れ線を介して連設され、副体部背面部は、上面部の背面側の辺部から折れ線を介して連設され、副体部背面部は、本体部背面部の外側の面に沿って設けられ、分離部の外側の面に接着され、副体部を閉状態とするには、フラップを上面部に対して折り曲げた状態で、フラップが本体部第１側面部（２０）の内側となるようにするとともに、副体部正面部が上面部に対して折り曲げた状態で、副体部正面部が本体部正面部の内側となるようにして、本体部の上面側を上面部により閉じた状態とし、切目線を破断して分離部を背面部本体部から分離することにより、副体部が包装箱から取り除かれることを特徴とする。
【００１０】
第１の構成においては、切目線を破断して１つの分離部のみを分離すればよいので、副体部（包装箱の一部）を取り除く作業を容易に行うことができ、被収納物の陳列作業を容易に行なうことができる。
【００１１】
なお、第１の構成を以下のようにしてもよい。すなわち、包装箱であって、本体部（３、３Ａ、３Ｂ）と副体部（１０１、１０１Ａ、１０１Ｂ）とを有し、本体部と副体部が、ともに、シート状のブランクにより形成され、本体部が、底面部（５０）と、底面部の各辺から立設する側面構成部で、本体部正面部（１０）と、本体部左側面部（２０）と、本体部右側面部（３０）と、本体部背面部（４０）とを有する側面構成部（５）と、を有し、背面部の一部が分離部（４４）として背面部における分離部以外の部分である背面部本体部（４２）と切目線を介して分離可能に形成され、副体部が、副体部正面部（１１０）と、副体部背面部（１４０）と、上面部（１５０）と、フラップ（１６０）とを有し、副体部正面部は、上面部の正面側の辺部から折れ線を介して連設され、フラップは、上面部の左側面側の辺部と右側面側の辺部のいずれかである特定辺部から折れ線を介して連設され、副体部背面部は、上面部の背面側の辺部から折れ線を介して連設され、副体部背面部は、本体部背面部の外側の面に沿って設けられ、分離部の外側の面に接着され、副体部を閉状態とするには、フラップを上面部に対して折り曲げた状態で、フラップが本体部右側面部と本体部左側面部の２つの側面部における特定辺部に対応する側面部（２０）の内側となるようにするとともに、副体部正面部が上面部に対して折り曲げた状態で、副体部正面部が本体部正面部の内側となるようにして、本体部の上面側を上面部により閉じた状態とし、切目線を破断して分離部を背面部本体部から分離することにより、副体部が包装箱から取り除かれることを特徴とする包装箱としてもよい。
【００１２】
また、第２には、上記第１の構成において、分離部は、本体部背面部の下辺の一部である下辺部分（４４ａ）と該切目線により囲まれており、分離部の下端に指を係止した状態で、分離部の下端を外側にひっぱることにより切目線が破断することを特徴とする。
【００１３】
よって、分離部の下端に指を係止した状態で、分離部の下端を外側にひっぱることにより切目線が破断することができるので、切目線の破断を容易に行なうことができる。また、切目線を破断することによる分離部の分離と副体部の取出しを一連の作業で行なうことができるので、被収納物の陳列作業を容易に行うことができる。
【００１４】
また、第３には、上記第２の構成において、底面部には、該下辺部分における少なくとも一部を辺部とする開口部（９３）が形成されていることを特徴とする。
【００１５】
よって、開口部が設けられているので、分離部の下端に指を係止しやすくすることができる。
【００１６】
また、第４には、上記第１から第３までのいずれかの構成において、本体部正面部には、上方に開口した切欠部（Ｋ１０）が設けられ、副体部を閉状態にした際には、副体部正面部の少なくとも先端側の辺部（１１０ｃ）は本体部正面部の背面側に位置することを特徴とする。
【００１７】
よって、本体部正面部には切欠部が設けられているので、被収納物の陳列状態において、切欠部を介して本体部の正面側から被収納物を視認することができ、また、副体部を閉状態にした際には、副体部正面部の少なくとも先端側の辺部は本体部正面部の背面側に位置するので、副体部正面部の先端側の辺部との間に隙間が生じることがない。
【００１８】
また、第５には、上記第１から第３までのいずれかの構成において、本体部第１側面部と本体部第２側面部のいずれかである特定側面部には、上方に開口した切欠部を特定側面部に形成するための切目線である切欠部形成用切目線（Ｋ２４）が形成され、該切欠部形成用切目線を破断することにより特定側面部の上辺と切欠部形成用切目線に沿った辺部により囲まれた切取り部（２４）が特定側面部から取り除かれることを特徴とする。
【００１９】
よって、切欠部形成用切目線を破断することにより本体部第１側面部と本体部第２側面部のいずれかに上方に開口した切欠部が設けられるので、この切欠部を介して、陳列状態の被収納物を視認することができる。
【００２０】
なお、上記第５の構成において、切欠部形成用切目線の両側の端部が特定側面部の上辺に接するとしてもよい。
【００２１】
また、第６には、上記第１から第５までのいずれかの構成において、副体部を閉状態にした際には、副体部正面部の先端側の辺部が、底面部の上面に接することを特徴とする。
【００２２】
よって、副体部の閉状態における包装箱の強度を高く維持することができる。
【００２３】
また、第７には、包装箱であって、本体部（２０３）と副体部（３０１、３０１Ａ）とを有し、本体部と副体部が、ともに、シート状のブランクにより形成され、本体部が、底面部（２５０）と、底面部の各辺から立設する側面構成部で、本体部正面部（２１０）と、本体部第１側面部（２２０）と、本体部第２側面部（２３０）と、本体部背面部（２４０）とを有する側面構成部（２０５）と、を有し、本体部第１側面部と本体部第２側面部の一方の側が左側面側であり、本体部第１側面部と本体部第２側面部の他方の側が右側面側であり、本体部背面部の一部が分離部（２４４）として本体部背面部における分離部以外の部分である背面本体部（２４２）と切目線を介して分離可能に形成され、副体部が、副体部正面部（３１０）と、副体部背面部（３４０）と、上面部（３５０）と、フラップ（３６０）とを有し、副体部正面部は、上面部の正面側の辺部から折れ線を介して連設され、フラップは、上面部の本体部第１側面部側の辺部から折れ線を介して連設され、副体部背面部は、上面部の背面側の辺部から折れ線を介して連設され、副体部背面部は、本体部背面部の外側の面に沿って設けられ、分離部の外側の面に接着され、副体部正面部には、差込み片（３２２）が設けられるとともに、本体部正面部には、差込み片を差し込むための被差込み部（２１２）が設けられ、副体部を閉状態とするには、フラップを上面部に対して折り曲げた状態で、フラップが本体部第１側面部（２０）の内側となるようにするとともに、差込み片を被差込み部に差し込むことにより、本体部の上面側を上面部により閉じた状態とし、差込み片を被差込み部から抜くとともに切目線を破断して分離部を背面部本体部から分離することにより、副体部が包装箱から取り除かれることを特徴とする。
【００２４】
第７の構成においては、切目線を破断して１つの分離部のみを分離すればよいので、副体部（包装箱の一部）を取り除く作業を容易に行うことができ、被収納物の陳列作業を容易に行なうことができる。
【００２５】
なお、第７の構成を以下のようにしてもよい。すなわち、包装箱であって、本体部（２０３）と副体部（３０１、３０１Ａ）とを有し、本体部と副体部が、ともに、シート状のブランクにより形成され、本体部が、底面部（２５０）と、底面部の各辺から立設する側面構成部で、本体部正面部（２１０）と、本体部左側面部（２２０）と、本体部右側面部（２３０）と、本体部背面部（２４０）とを有する側面構成部（２０５）と、を有し、背面部の一部が分離部（２４４）として背面部における分離部以外の部分である背面部本体部（２４２）と切目線を介して分離可能に形成され、副体部が、副体部正面部（３１０）と、副体部背面部（３４０）と、上面部（３５０）と、フラップ（３６０）とを有し、副体部正面部は、上面部の正面側の辺部から折れ線を介して連設され、フラップは、上面部の左側面側の辺部と右側面側の辺部のいずれかである特定辺部から折れ線を介して連設され、副体部背面部は、上面部の背面側の辺部から折れ線を介して連設され、副体部背面部は、本体部背面部の外側の面に沿って設けられ、分離部の外側の面に接着され、副体部正面部には、差込み片（３２２）が設けられるとともに、本体部正面部には、差込み片を差し込むための被差込み部（２１２）が設けられ、副体部を閉状態とするには、フラップを上面部に対して折り曲げた状態で、フラップが本体部右側面部と本体部左側面部の２つの側面部における特定辺部に対応する側面部（２０）の内側となるようにするとともに、差込み片を被差込み部に差し込むことにより、本体部の上面側を上面部により閉じた状態とし、差込み片を被差込み部から抜くとともに切目線を破断して分離部を背面部本体部から分離することにより、副体部が包装箱から取り除かれることを特徴とする包装箱としてもよい。
【００２６】
また、第８には、上記第７の構成において、分離部は、本体部背面部の上辺の一部である上辺部分（２４０ｃ）と該切目線により囲まれており、分離部を背面部本体部から分離した際には、本体部背面部には、上方に開口した切欠部が形成されることを特徴とする。
【００２７】
よって、分離部を背面部本体部から分離した際には、本体部背面部には、上方に開口した切欠部が形成されるので、被収納物の陳列状態において、本体部背面部側を陳列における正面側とすることにより、切欠部を介して被収納物を視認することができる。
【００２８】
また、第９には、上記第１から第８までのいずれかの構成において、上面部の本体部第１側面部側には、（本体部第１側面部側に突出した）突状部（１５３Ａ、１５４、１５６、３５４、３５６）が設けられ、フラップは、本体部第１側面部側の辺部における突状部が形成された部分以外の辺部から折れ線を介して連設され、突状部の先端が、左右方向において、本体部第１側面部の内側の面よりも外側に突出するとともに、上面部の本体部第２側面部側の辺部に沿った端部領域（１５８、３５８）における本部第２側面部側の先端が、左右方向において、本体部第２側面部の内側の面よりも外側に突出し、副体部を閉状態にした際には、突状部が、本体部第１側面部の上辺の上側にあり（「接し」としてもよい）、上面部の本体部第２側面部側の辺部に沿った端部領域が、本体部第２側面部の上辺の上側にある（「接する」としてもよい）ことを特徴とする。よって、副体部の閉状態における包装箱の強度を高く維持することができる。
【００２９】
また、第１０には、上記第１から第８までのいずれかの構成において、本体部第２側面部の正面側の辺部から折れ線を介して糊代部（４９、２４９）が連設され、該糊代部が本体部正面部の本体部第２側面部側の端部領域に接着され、本体部正面部と本体部第１側面部と本体部第２側面部と本体部背面部とにおける互いに隣接する各部は、糊代部を介して連設された本体部正面部と本体部第２側面部を除き、折れ線を介して連設されており、フラップは、上面部における本体部第１側面部側の辺部のみから折れ線を介して連設されていることを特徴とする。
【００３０】
よって、フラップは、上面部における本体部第１側面部側の辺部のみから折れ線を介して連設されているので、側面構成部を糊代部を本体部第２側面部に対して折曲しない状態で折り畳んだ際に、フラップが本体部の左右方向の幅から突出することがない。
【００３１】
また、第１１には、上記第１から第１０までのいずれかの構成において、上面部の本体部第２側面部側の辺部から折れ線を介して第２フラップ（１７０、３７０）が連設され、副体部を閉状態にするには、第２フラップを上面部に対して折り曲げた状態で、第２フラップが、本体部第２側面部の内側となるようにすることを特徴とする。
【００３２】
また、第１２には、上記第１１の構成において、上面部の本体部第１側面部側には、突状部（１５３Ａ、１５４、１５６、３５４、３５６）が設けられ、フラップは、本体部第１側面部側の辺部における突状部が形成された部分以外の辺部から折れ線を介して連設され、突状部の先端が、左右方向において、本体部第１側面部の内側の面よりも外側に突出し、上面部の本体部第２側面部側には、第２突状部（１５３Ｂ、１５５、１５７、３５５、３５７）が設けられ、第２フラップは、本体部第２側面部側の辺部における第２突状部が形成された部分以外の辺部から折れ線を介して連設され、第２突状部の先端が、左右方向において、本体部第２側面部の内側の面よりも外側に突出し、副体部を閉状態にした際には、突状部が、本体部第１側面部の上辺の上側にあり、第２突状部が、本体部第２側面部の上辺の上側にあることを特徴とする。よって、副体部の閉状態における包装箱の強度を高く維持することができる。
【００３３】
また、第１３には、上記第１から第１２までのいずれかの構成において、側面部構成部が、本体部正面部、本体部第１側面部、本体部背面部、本体部第２側面部の順に連設され、底面部が、ワンタッチ底により形成され、本体部正面部の下辺から連設された底面部第１片部（６０）と、本体部第１側面部の下辺から連設された底面部第２片部（７０）と、本体部第２側面部の下辺から連設された底面部第３片部（８０）と、本体部背面部の下辺から連設された底面部第４片部（９０）とを有し、底面部第１片部と底面部第２片部からなる底面部第１片部対の一方における他方の側の部分である第１端部領域（７４）が折れ線を介して折曲げ可能であり、該第１端部領域が底面部第１片部対における他方に接着され、底面部第３片部と底面部第４片部からなる底面部第２片部対の一方における他方の側の部分である第２端部領域（８４）が折れ線を介して折曲げ可能であり、該第２端部領域が底面部第２片部対における他方に接着されていることを特徴とする。
【００３４】
また、第１４には、包装箱であって、本体部（３Ｃ）と副体部（１０１Ｃ）とを有し、本体部と副体部が、ともに、シート状のブランクにより形成され、本体部が、底面部（５０）と、底面部の各辺から立設する側面構成部で、本体部正面部（１０）と、本体部第１側面部（２０）と、本体部第２側面部（３０）と、本体部背面部（４０）と、糊代部（４９）とを有し、本体部正面部、本体部第１側面部、本体部背面部、本体部第２側面部、糊代部の順に連設された側面構成部（５）と、を有し、本体部第１側面部と本体部第２側面部の一方の側が側面構成部の左側面側となり、本体部第１側面部と本体部第２側面部の他方の側が側面構成部の右側面側となり、糊代部が、本体部正面部の本体部第２側面部側の端部領域に接着され、本体部正面部には、上方に開口した切欠部（Ｋ１０）が設けられ、本体部背面部の一部が分離部（４４）として本体部背面部における分離部以外の部分である背面本体部（４２）と切目線を介して分離可能に形成され、分離部は、本体部背面部の下辺の一部である下辺部分（４４ａ）と該切目線により囲まれており、底面部には、該下辺部分における少なくとも一部を辺部とする開口部（９３）が形成され、副体部が、副体部正面部（１１０）と、副体部背面部（１４０）と、上面部（１５０）と、フラップ（１７０）とを有し、副体部正面部は、上面部の正面側の辺部から折れ線を介して連設され、フラップは、上面部の本体部第２側面部側の辺部から折れ線を介して連設され、副体部背面部は、上面部の背面側の辺部から折れ線を介して連設され、副体部背面部は、本体部背面部の外側の面に沿って設けられ、分離部の外側の面に接着され、上面部の本体部第２側面部側には、突状部（１５３Ｂ、１５５、１５７）が設けられ、フラップは、上面部の本体部第２側面部側の辺部における突状部が形成された部分以外の辺部から折れ線を介して連設され、突状部の先端が、左右方向において、本体部第２側面部の内側の面よりも外側に突出し、副体部を閉状態とするには、フラップを上面部に対して折り曲げた状態で、フラップが本体部第１側面部（２０）の内側となるようにするとともに、副体部正面部が上面部に対して折り曲げた状態で、副体部正面部が本体部正面部の内側となるようにして、本体部の上面側を上面部により閉じた状態とし、副体部を閉状態にした際には、副体部正面部の少なくとも先端側の辺部（１１０ｃ）は、本体部正面部の背面側に位置し、突状部が、本体部第２側面部の上辺の上側にあり、分離部の下端に指を係止した状態で、分離部の下端を外側にひっぱり切目線を破断して分離部を背面部本体部から分離することにより、副体部が包装箱から取り除かれることを特徴とする。
【００３５】
第１４の構成においては、切目線を破断して１つの分離部のみを分離すればよいので、副体部（包装箱の一部）を取り除く作業を容易に行うことができ、被収納物の陳列作業を容易に行なうことができる。
【００３６】
また、分離部の下端に指を係止した状態で、分離部の下端を外側にひっぱることにより切目線が破断することができるので、切目線の破断を容易に行なうことができる。また、切目線を破断することによる分離部の分離と副体部の取出しを一連の作業で行なうことができるので、被収納物の陳列作業を容易に行うことができる。また、開口部が設けられているので、分離部の下端に指を係止しやすくすることができる。
【００３７】
また、本体部正面部には切欠部が設けられているので、被収納物の陳列状態において、切欠部を介して本体部の正面側から被収納物を視認することができる。
【００３８】
また、副体部を閉状態にした際には、副体部正面部の少なくとも先端側の辺部は本体部正面部の背面側に位置するので、副体部正面部の先端側の辺部との間に隙間が生じることがなく、また、突状部が、本体部第２側面部の上辺の上側にあるので、副体部の閉状態における包装箱の強度を高く維持することができる。
【００３９】
また、第１５には、上記第１４の構成において、上面部の本体部第１側面部側の辺部から折れ線を介して第２フラップ（１６０）が連設され、上面部の本体部第１側面部側には、第２突状部（１５３Ａ、１５４、１５６）が設けられ、第２フラップは、本体部第１側面部側の辺部における第２突状部が形成された部分以外の辺部から折れ線を介して連設され、第２突状部の先端が、左右方向において、本体部第１側面部の内側の面よりも外側に突出し、副体部を閉状態にするには、第２フラップを上面部に対して折り曲げた状態で、第２フラップが、本体部第１側面部の内側となるようにし、副体部を閉状態にした際には、第２突状部が、本体部第１側面部の上辺の上側にあることを特徴とする。よって、副体部の閉状態における包装箱の強度を高く維持することができる。
【００４０】
また、第１６には、上記第１４又は第１５の構成において、側面部構成部が、本体部第２側面部、本体部正面部、本体部第１側面部、本体部背面部の順に連設され、底面部が、ワンタッチ底により形成され、本体部第２側面部の下辺から連設された底面部第１片部（６０）と、本体部正面部の下辺から連設された底面部第２片部（７０）と、本体部背面部の下辺から連設された底面部第３片部（８０）と、本体部第１側面部の下辺から連設された底面部第４片部（９０）とを有し、底面部第１片部と底面部第２片部からなる底面部第１片部対の一方における他方の側の部分である第１端部領域（７４）が折れ線を介して折曲げ可能であり、該第１端部領域が底面部第１片部対における他方に接着され、底面部第３片部と底面部第４片部からなる底面部第２片部対の一方における他方の側の部分である第２端部領域（８４）が折れ線を介して折曲げ可能であり、該第２端部領域が底面部第２片部対における他方に接着されていることを特徴とする。
【００４１】
よって、本体部第２側面部又は本体部背面部に糊代部を設けることにより、本体部背面部と副体部背面部を接着した後に、本体部第２側面部を本体部正面部側に折り返すとともに、本体部背面部を本体部第１側面部側に折り返して製造することにより、切欠部が設けられた本体部正面部を折り返すことがないので、本体部正面部を折り返す場合に比べて、折り返しの操作が容易となり、結果として、包装箱の製造が容易となる。
【００４２】
また、第１７には、包装箱であって、本体部（３Ｃ）と副体部（１０１Ｃ）とを有し、本体部と副体部が、ともに、シート状のブランクにより形成され、本体部が、底面部（５０）と、底面部の各辺から立設する側面構成部で、本体部正面部（１０）と、本体部第１側面部（２０）と、本体部第２側面部（３０）と、本体部背面部（４０）と、糊代部（４９）とを有し、本体部第２側面部、本体部正面部、本体部第１側面部、本体部背面部、糊代部の順に連設された側面構成部（５）と、を有し、本体部第１側面部と本体部第２側面部の一方の側が側面構成部の左側面側となり、本体部第１側面部と本体部第２側面部の他方の側が側面構成部の右側面側となり、糊代部が、本体部第２側面部の背面側の端部領域に接着され、本体部正面部には、上方に開口した切欠部（Ｋ１０）が設けられ、本体部背面部の一部が分離部（４４）として本体部背面部における分離部以外の部分である背面本体部（４２）と切目線を介して分離可能に形成され、底面部が、ワンタッチ底により形成され、本体部第２側面部の下辺から連設された底面部第１片部（６０）と、本体部正面部の下辺から連設された底面部第２片部（７０）と、本体部背面部の下辺から連設された底面部第３片部（８０）と、本体部第１側面部の下辺から連設された底面部第４片部（９０）とを有し、底面部第１片部と底面部第２片部からなる底面部第１片部対の一方における他方の側の部分である第１端部領域（７４）が折れ線を介して折曲げ可能であり、該第１端部領域が底面部第１片部対における他方に接着され、底面部第３片部と底面部第４片部からなる底面部第２片部対の一方における他方の側の部分である第２端部領域（８４）が折れ線を介して折曲げ可能であり、該第２端部領域が底面部第２片部対における他方に接着され、副体部が、副体部正面部（１１０）と、副体部背面部（１４０）と、上面部（１５０）と、フラップ（１７０）とを有し、副体部正面部は、上面部の正面側の辺部から折れ線を介して連設され、フラップは、上面部の本体部第２側面部側の辺部から折れ線を介して連設され、副体部背面部は、上面部の背面側の辺部から折れ線を介して連設され、副体部背面部は、本体部背面部の外側の面に沿って設けられ、分離部の外側の面に接着され、副体部を閉状態とするには、フラップを上面部に対して折り曲げた状態で、フラップが本体部第２側面部（３０）の内側となるようにするとともに、副体部正面部が上面部に対して折り曲げた状態で、副体部正面部が本体部正面部の内側となるようにして、本体部の上面側を上面部により閉じた状態とし、切目線を破断して分離部を背面部本体部から分離することにより、副体部が包装箱から取り除かれる包装箱の製造方法であって、展開状態の副体部に展開状態の本体部を接着する第１接着工程であって、副体部背面部と本体部背面部を重ねた状態で、分離部と副体部背面部を接着させる第１接着工程と、底面部第１片部と底面部第２片部を側面構成部に対して折り返し第１端部領域を外側に折り返すとともに、第１端部領域と、底面部第１片部と底面部第２片部の他方における第１端部領域が接着する領域のいずれかに接着剤を塗布した状態で、本体部第２側面部を本体部正面部に対して折り返すことにより、第１端部領域と、底面部第１片部と底面部第２片部の他方とを接着する第２接着工程と、底面部第３片部と底面部第４片部を側面構成部に対して折り返し第２端部領域を外側に折り返すとともに、第２端部領域と、底面部第３片部と底面部第４片部の他方における第２端部領域が接着する領域のいずれかと、糊代部と本体部第２側面部における糊代部が接着する領域のいずれとに接着剤を塗布した状態で、本体部背面部を本体部第１側面部に対して折り返すことにより、第２端部領域と、底面部第３片部と底面部第４片部の他方とを接着するとともに、糊代部と本体部第２側面部を接着する第３接着工程と、を有することを特徴とする。
【００４３】
第１７の構成においては、第１接着工程〜第３接着工程により包装箱を製造できるので、容易に包装箱を製造することができる。
【００４４】
また、製造された包装箱においては、切目線を破断して１つの分離部のみを分離すればよいので、副体部（包装箱の一部）を取り除く作業を容易に行うことができ、被収納物の陳列作業を容易に行なうことができる。
【００４５】
また、第２接着工程や第３接着工程において、本体部第２側面部や本体部背面部を折り返すので、切欠部が設けられた本体部正面部を折り返す必要がなく、本体部正面部を折り返す場合に比べて、折り返しの操作が容易となり、結果として、包装箱の製造が容易となる。
【００４６】
また、製造された包装箱においては、切目線を破断して１つの分離部のみを分離すればよいので、副体部（包装箱の一部）を取り除く作業を容易に行うことができ、被収納物の陳列作業を容易に行なうことができる。
【発明の効果】
【００４７】
本発明に基づく包装箱及び包装箱の製造方法により製造された包装箱によれば、切目線を破断して１つの分離部のみを分離すればよいので、副体部（包装箱の一部）を取り除く作業を容易に行うことができ、被収納物の陳列作業を容易に行なうことができる。
【図面の簡単な説明】
【００４８】
【図１】包装箱の前方斜視図である（実施例１）。
【図２】包装箱の後方斜視図である（実施例１）。
【図３】本体部の展開図である（実施例１）。
【図４】図４の要部拡大図である。
【図５】副体部の展開図である（実施例１）。
【図６】包装箱の製造工程を示す説明図である（実施例１）。
【図７】包装箱の製造工程を示す説明図である（実施例１）。
【図８】包装箱の製造工程を示す説明図である（実施例１）。
【図９】包装箱の製造工程を示す説明図である（実施例１）。
【図１０】包装箱の使用状態を示す斜視図である（実施例１）。
【図１１】包装箱の使用状態を示す斜視図である（実施例１）。
【図１２】包装箱の使用状態を示す斜視図である（実施例１）。
【図１３】包装箱の使用状態を示す図であり、副体部を閉状態にした際の包装箱の底面図である（実施例１）。
【図１４】包装箱の使用状態を示す斜視図である（実施例１）。
【図１５】包装箱の使用状態を示す斜視図である（実施例１）。
【図１６】包装箱の使用状態を示す斜視図である（実施例１）。
【図１７】包装箱の使用状態を示す斜視図である（実施例１）。
【図１８】包装箱の使用状態を示す斜視図である（実施例１）。
【図１９】包装箱における効果を説明するための説明図である（実施例１）。
【図２０】図１９との比較例を示す説明図である。
【図２１】本体部の他の例を示す展開図である（実施例１）。
【図２２】包装箱の他の例を示す展開図である（実施例１）。
【図２３】副体部の他の例を示す展開図である（実施例１）。
【図２４】包装箱の他の例を示す展開図である（実施例１）。
【図２５】本体部の他の例を示す展開図である（実施例１）。
【図２６】副体部の他の例を示す展開図である（実施例１）。
【図２７】包装箱の前方斜視図である（実施例２）。
【図２８】包装箱の後方斜視図である（実施例２）。
【図２９】本体部の展開図である（実施例２）。
【図３０】副体部の展開図である（実施例２）。
【図３１】包装箱の製造工程を示す説明図である（実施例２）。
【図３２】包装箱の製造工程を示す説明図である（実施例２）。
【図３３】包装箱の製造工程を示す説明図である（実施例２）。
【図３４】包装箱の製造工程を示す説明図である（実施例２）。
【図３５】包装箱の使用状態を示す斜視図である（実施例２）。
【図３６】包装箱の使用状態を示す斜視図である（実施例２）。
【図３７】包装箱の使用状態を示す斜視図である（実施例２）。
【図３８】包装箱の使用状態を示す図であり、副体部を閉状態にした際の包装箱の底面図である（実施例２）。
【図３９】包装箱の使用状態を示す斜視図である（実施例２）。
【図４０】包装箱の使用状態を示す斜視図である（実施例２）。
【図４１】包装箱における効果を説明するための説明図である（実施例２）。
【図４２】図３５との比較例を示す説明図である。
【図４３】副体部の他の例を示す展開図である（実施例２）。
【発明を実施するための形態】
【００４９】
本発明においては、被収納物を包装するための包装箱で、包装箱の一部を取り除くことにより被収納物を陳列することができる包装箱において、包装箱の一部を取り除く作業を容易に行うことができ、よって、被収納物の陳列作業を容易に行なうことができる包装箱を提供するという目的を以下のようにして実現した。
【実施例１】
【００５０】
本発明の実施例１に基づく包装箱１は、図１〜図５に示すように構成され、包装箱１は、本体部３と、本体部３に接着して取り付けられた副体部１０１とを有している。
【００５１】
本体部３と副体部１０１は、それぞれ、１枚のシート状のブランク（具体的には、段ボール製（例えば、薄型段ボール製）のブランクであり、厚紙製のブランク等の他の紙製のブランクでもよい）により形成されている。つまり、包装箱１は、段ボール材（特に、両面段ボール材）等の紙製の包装箱である。段ボールにおける断面略波形形状の中芯の段の方向は、図３、図５における円内に示す方向となっていて、本体部３においては、折れ線Ｃ１〜Ｃ４と平行になっていて（なお、段ボールにおける中芯の段の方向はこれには限られない）、副体部１０１においては、折れ線Ｃ１１、Ｃ１２と直角の方向になっている。なお、段ボールにおける中芯の段の方向はこれには限られない）。
【００５２】
本体部３は、全体に上部が開口した容器状を呈し、図１〜図４等に示すように、スリーブ状部（側面構成部）５と、底面部５０とを有している。スリーブ状部５は、包装箱１の組立て状態では、底面部５０の周囲から立設して形成され、正面部１０と、側面部２０と、側面部３０と、背面部４０と、糊代部４９とを有し、正面部１０、側面部２０、背面部４０、側面部３０、糊代部４９の順に折れ線を介して連設されている。つまり、側面部２０は、正面部１０から折れ線Ｃ１を介して連設され、背面部４０は、側面部２０から折れ線Ｃ２を介して連設され、側面部３０は、背面部４０から折れ線Ｃ３を介して連設され、糊代部４９は、側面部３０から折れ線Ｃ４を介して連設されている。折れ線Ｃ１〜Ｃ４は、本体部３の展開状態において、互いに平行であり、いずれも直線状を呈している。
【００５３】
ここで、正面部（本体部正面部）１０は、方形状（具体的には、長方形状）に切欠部Ｋ１０を設けることにより全体に凹状を呈し、切欠部Ｋ１０を構成する辺部は、正面部１０の上辺１０Ｔａ、１０Ｔｂから連設されていて、切欠部Ｋ１０は、上辺１０Ｔａから連設され、略円弧状に形成された辺部１０ａと、辺部１０ａの端部から下方に向けて形成された（つまり、折れ線Ｃ１と平行に形成された）直線状の辺部１０ｂと、辺部１０ｂの下端から連設され、略円弧状に形成された辺部１０ｃと、辺部１０ｃの端部から連設され、正面部１０の下辺（第１片部６０との間の折れ線Ｃ６に沿った辺部）と平行に形成された直線状の辺部１０ｄと、辺部１０ｄの端部から連設され、略円弧状に形成された辺部１０ｅと、辺部１０ｅの端部から上方に向けて形成された（つまり、折れ線Ｃ１と平行に形成された）直線状の辺部１０ｆと、辺部１０ｆの上端から上辺１０Ｔｂまで連設された略円弧状の辺部１０ｇとを有している。切欠部Ｋ１０は、正面部１０の上辺から連設された辺部により形成されていて、切欠部Ｋ１０は、上方に開口した切欠部となっている。辺部１０ａは、上辺１０Ｔａと辺部１０ｂがなす角部を円弧状に面取りしており、辺部１０ｇは、上辺１０Ｔｂと辺部１０ｆがなす角部を円弧状に面取りしている。以上のように、切欠部Ｋ１０を構成する辺部は、略Ｕ字状を呈している。正面部１０は、上下方向の中心線を介して左右対称に形成されている。
【００５４】
正面部１０の２つの上辺１０Ｔａ、１０Ｔｂにおいて、上辺１０Ｔａは、正面部１０の左側面側に設けられ、上辺１０Ｔｂは、正面部１０の右側面側に設けられ、上辺１０Ｔａと上辺１０Ｔｂは、同じ高さに形成され（つまり、正面部１０の下辺に平行な同一直線状に形成されている）、上辺１０Ｔａは、側面部２０の上辺よりも若干高い位置に形成されている。つまり、上辺１０Ｔａと正面部１０の下辺間の長さＬ１０は、側面部２０の上辺と下辺間の長さＬ２０よりも若干長く形成されている。つまり、副体部１０１の正面部１１０を正面部１０の内側に差し込んで副体部１０１を閉状態にした際に正面部１１０の上端位置と正面部１０の上辺１０Ｔａ、１０Ｔｂとを一致させるには、副体部１０１の上面部１５０の突状部１４４、１４６が側面部２０の上辺の上に接することから正面部１１０の上端位置は、副体部１０１のブランクの厚み分だけ側面部２０の上辺よりも上側位置となるため、上辺１０Ｔａを側面部２０の上辺よりも高い位置にする必要がある。
【００５５】
正面部１０は、上記のように形成されているので、正面部１０は、正面部１０の下辺に沿って形成された横方向部１２と、横方向部１２の左右両側の端部から連設され上方に形成された縦方向部１４、１６とを有し、縦方向部１４は、正面部１０の左側面側の端部に沿って形成され、縦方向部１６は、正面部１０の右側面側の端部に沿って形成されている。なお、横方向部１２と縦方向部１４の境界は、辺部１０ｂの延長線上にあり、横方向部１２と縦方向部１６の境界は、辺部１０ｆの延長線上にあるとする。
【００５６】
正面部１０が上記のように形成されているので、副体部１０１の正面部１１０を正面部１０の内側に差し込んで副体部１０１を閉状態にした際には、正面部１１０の辺部が正面部１０の背面側に位置し、正面部１１０の辺部が正面部１０によりカバーされて露出しないようになっている。つまり、副体部１０１を閉状態にした際には、正面部１１０の辺部１１０ｃが、横方向部１２の背面側に位置してカバーされ、正面部１１０の辺部１１０ａ、１１０ｂが、縦方向部１４の背面側に位置してカバーされ、正面部１１０の辺部１１０ｄ、１１０ｅが、縦方向部１６の背面側に位置してカバーされる。これにより、正面部１１０の辺部との間に隙間が生じないので、ゴミや埃が入り込むのを防止することができる。なお、副体部１０１を閉状態にした際には、正面部１１０の先端側の辺部である辺部１１０ｃは底面部５０の上面に接するが、横方向部１２の背面側にも位置しているといえる。
【００５７】
なお、切欠部Ｋ１０の形状は、上記には限られず、正面部１０の両側の上辺から連設された辺部により構成された上方が開口した切欠部であればよく、該切欠部を有する正面部１０により閉状態の副体部１０１の正面部１１０の辺部がカバーされる構成であればよい。例えば、切欠部Ｋ１０を構成する辺部が、辺部１０ｃ〜１０ｅを１つの円弧状としたＵ字状としてもよく、また、略Ｖ字状としてもよい。
【００５８】
また、上記の説明では、正面部１０に切欠部Ｋ１０が形成されているとしたが、切欠部の代わりに開口部を形成して、該開口部から商品を視認できるようにしてもよい。その場合には、正面部１０の上辺は、正面部１０の右側面側の端部から左側面側の端部まで形成されることになる。
【００５９】
なお、正面部１０は方形状に切欠部Ｋ１０を設けた構成であるとしたが、厳密には、該方形状において、左右の上端の角部には略円弧状の辺部が設けられ、該角部が小さく略円弧状に面取りされている。側面部２０の上辺は、正面部１０の上辺における該略円弧状の辺部から連設されている。
【００６０】
また、正面部１０において、縦方向部１４、１６の構成を省略して、正面部１１０の辺部１１０ａ、１１０ｅを折れ線Ｃ１１に対して直角として、副体部１０１を閉状態にした際に、辺部１１０ａと側面部２０との隙間が設けられず、辺部１１０ｅと側面部３０との隙間が設けられないようにして、正面部１１０の先端側の辺部１１０ｃが横方向部１２の背面側に位置するようにしてもよい。
【００６１】
また、側面部２０は、正面部１０の左側面側の端部から折れ線Ｃ１を介して連設され、方形状（具体的には、長方形状）を呈している。つまり、側面部２０の上辺は、側面部２０の下辺（第２片部７０との間の折れ線Ｃ７に沿った辺部）と平行に形成され、側面部２０の上辺は、直線状に形成されている。
【００６２】
また、側面部３０は、背面部４０の右側面側の端部から折れ線Ｃ３を介して連設され、側面部２０と同大同形状に形成されている。側面部３０の上辺は、側面部３０の下辺（第３片部８０との間の折れ線Ｃ９に沿った辺部）と平行に形成され、側面部３０の上辺は、直線状に形成されている。なお、側面部２０の上辺は下辺と平行で、側面部３０の上辺は下辺と平行であるとしたが、下辺と平行でなくてもよく、下辺に対して傾斜していてもよい。
【００６３】
なお、本体部第１側面部が左側面側で本体部第２側面部が右側面側とした場合には、側面部２０は本体部第１側面部となり、側面部３０が本体部第２側面部となり、逆に、本体部第１側面部が右側面側で本体部第２側面部が左側面側とした場合には、側面部２０は本体部第２側面部となり、側面部３０が本体部第１側面部となる。
【００６４】
また、背面部（本体部背面部）４０は、側面部２０の背面側の端部から折れ線Ｃ２を介して連設され、方形状（具体的には、長方形状）における上側の一部を切り欠いた形状を呈し、背面部４０の上辺４０Ｔａ、４０Ｔｂ、４０Ｔｃは、同じ高さに形成され（つまり、背面部４０の下辺に平行な同一直線状に形成されている）、側面部２０の上辺や側面部３０の上辺と同じ高さに形成されている。背面部４０の上端には、上辺から連設された２つの切欠部Ｋ４０、Ｋ４２が形成されていて、切欠部Ｋ４０は、上辺４０Ｔａと上辺４０Ｔｂ間に形成され、切欠部Ｋ４２は、上辺４０Ｔｂと上辺４０Ｔｃ間に形成されている。切欠部Ｋ４０と切欠部Ｋ４２は、背面部４０の上下方向の中心線を介して左右対称の位置に形成されている。
【００６５】
切欠部Ｋ４０は、上辺４０Ｔａの端部から略円弧状に形成された辺部４０ａと、辺部４０ａの端部から下方に形成された直線状の辺部４０ｂと、辺部４０ｂの下端から横方向に形成された直線状の辺部４０ｃと、辺部４０ｃの端部から上方に形成された直線状の辺部４０ｄと、上辺４０Ｔｂの端部と辺部４０ｄの上端との間に略円弧状に形成された辺部４０ｅとを有し、辺部４０ｃにおける左右方向の略中央位置からは位置合わせ確認用の切込み４０ｆが上下方向に形成されている。
【００６６】
また、切欠部Ｋ４２は、上辺４０Ｔｂの端部から略円弧状に形成された辺部４２ａと、辺部４２ａの端部から下方に形成された直線状の辺部４２ｂと、辺部４２ｂの下端から横方向に形成された直線状の辺部４２ｃと、辺部４２ｃの端部から上方に形成された直線状の辺部４２ｄと、上辺４０Ｔｃの端部と辺部４２ｄの上端との間に略円弧状に形成された辺部４２ｅとを有し、辺部４２ｃにおける左右方向の略中央位置からは位置合わせ確認用の切込み４２ｆが上下方向に形成されている。なお、切込み４０ｆ、４２ｆは、背面部４０の一方の面から他方の面まで貫通している。
【００６７】
また、背面部４０には、背面部４０の下辺の一部（つまり、背面部４０の下辺における切目線Ｋ４４の両端の端部間の辺部（下辺部分）４４ａ）と切目線Ｋ４４により囲まれた分離部４４が設けられ、切目線Ｋ４４は、横方向に間隔を介して設けられた円弧状の切目線Ｋ４４ａと切目線Ｋ４４ｃ（切目線Ｋ４４ａと切目線Ｋ４４ｃは、上下方向の中心線を介して左右対称に形成されている）と、切目線Ｋ４４ａの上端と切目線Ｋ４４ｃの上端を結ぶ横方向（背面部４０の下辺と平行な方向）の直線状の切目線Ｋ４４ｂとを有し、切目線Ｋ４４ａ、Ｋ４４ｃの下端は、背面部４０の下辺に接している。つまり、切目線Ｋ４４の両側の端部が背面部４０の下辺に接している。切目線Ｋ４４ｂは、背面部４０における上下方向の略中央位置に形成されている。切目線Ｋ４４ａ、Ｋ４４ｃは、ミシン目状の切目線（間隔をおきながら連続して形成された切込みにより形成された切目線）であり、切目線Ｋ４４ｂは、連続した切込みからなる切目線である。つまり、切目線Ｋ４４は、全体として、切断予定線である。切目線Ｋ４４を構成する切目線Ｋ４４ａ〜Ｋ４４ｃは、背面部４０の一方の面から他方の面まで貫通している。なお、背面部４０の下辺は、第４片部９０と連設された部分では第４片部９０との折れ線Ｃ８−１、Ｃ８−２と一致しており、辺部４４ａと折れ線Ｃ８−１と折れ線Ｃ８−２は、同一直線上にある。
【００６８】
背面部４０は、分離部４４と、背面部４０における分離部４４以外の領域である本体部（背面本体部）４２とを有しており、上記切欠部Ｋ４０、Ｋ４２は、本体部４２に形成されている。背面部４０は、切目線Ｋ４４を含めて、上下方向の中心線を介して左右対称に形成されている。
【００６９】
また、糊代部４９は、側面部３０の正面側の端部から折れ線Ｃ４を介して連設され、縦方向に細長の略帯状台形形状を呈している。この糊代部４９は、その内側の面が正面部１０の右側面側の端部領域の外側の面に接着されている。糊代部４９が正面部１０の外側の面に接着されているのは、副体部１０１を閉状態にすべく正面部１１０を正面部１０の内側の面に沿って差し込む際に、支障とならないようにするためである。糊代部４９を正面部１０の内側の面に接着してもよいが、副体部１０１を閉状態にするべく正面部１１０を正面部１０の内側に差し込むことを考慮すると、正面部１０の外側の面に接着するのが好ましい。なお、糊代部４９を正面部１０の側面部２０とは反対側の辺部から連設してもよい。
【００７０】
なお、本体部３の展開状態において、折れ線Ｃ６、Ｃ７、Ｃ８−１、Ｃ８−２、Ｃ９は同一直線上に形成されている。
【００７１】
また、底面部５０は、いわゆるワンタッチ底であり、第１片部（底面部第１片部）６０と、第２片部（底面部第２片部）７０と、第３片部（底面部第３片部）８０と、第４片部（底面部第４片部）９０とを有し、包装箱１の組立て状態においては、図１３に示すように、略方形状の外形を呈している。
【００７２】
ここで、第１片部６０は、正面部１０の下端から折れ線Ｃ６を介して連設され、先端側にいくほど幅狭となる略台形形状に形成され、その上面の一部が本体部３の内底面の一部を形成している。この第１片部６０は、底面部５０の組立て状態においては、第４片部９０と底面部５０の中心位置（底面部５０の対角の角部を結ぶ２つの直線の交点）を介して点対称に形成されている。なお、底面部５０を組み立てた際には、第２片部７０の切欠部Ｋ７２と第３片部８２の切欠部Ｋ８２が係合した状態となり、その際、第１辺部６０の辺部６０ａが先端部７４の辺部７４ａに沿った状態となるが、切欠部Ｋ７２が切欠部Ｋ８２と係合する際に辺部６０ａが支障とならないように、辺部６０ａにおける第１片部６０の先端側には、切欠部Ｋ６０が形成されている。
【００７３】
また、第２片部７０は、側面部２０の下端から折れ線Ｃ７を介して連設され、略長方形状に形成され、第２片部７０の上面の一部が本体部３の内底面の一部を形成している。また、第２片部７０の角部（正面部１０と側面部２０の境界位置の下端）からは第２片部７０の側面部２０との境界をなす辺部（つまり、折れ線Ｃ７に沿った辺部）に対して斜めに折れ線７０−１（この折れ線７０−１は、上面側が山折れ線となっている）が形成されている。第２片部７０は、折れ線７０−１を介して本体部７２と先端部７４とに区画される。本体部７２の先端の先端部７４側には、他方の本体部８２と互いに係止するように切欠部Ｋ７２が形成されている。先端部７４の上面は、第１片部６０の下面に接着されている。
【００７４】
また、第３片部８０は、側面部３０の下端から折れ線Ｃ９を介して連設され、底面部５０の組立て状態においては、第２片部７０と底面部５０の中心位置を介して略点対称に形成されている。つまり、第３片部８０は、切欠部Ｋ８４が設けられている点以外は、第２片部７０と点対称に形成されている。すなわち、第３片部８０は、側面部３０の下端から折れ線Ｃ９を介して連設され、略長方形状に形成され、第３片部８０の上面の一部が本体部３の内底面の一部を形成している。また、第３片部８０の角部（側面部３０と背面部４０の境界位置の下端）からは第３片部８０の側面部３０との境界をなす辺部（つまり、折れ線Ｃ９に沿った辺部）に対して斜めに折れ線８０−１（この折れ線８０−１は、上面側が山折れ線となっている）が形成されている。第３片部８０は、折れ線８０−１を介して本体部８２と先端部８４とに区画される。本体部８２の先端の先端部８４側には、他方の本体部７２と互いに係止するように切欠部Ｋ８２が形成されている。先端部８４の上面は、第１片部６０の下面に接着されている。また、先端部８４の辺部８４ａには、第４片部９０の開口部Ｋ９２と干渉しないように、切欠部Ｋ８４が形成されている。
【００７５】
また、第４片部９０は、背面部４０の下端から折れ線Ｃ８−１、Ｃ８−２を介して連設され、先端側にいくほど幅狭となる略台形形状に形成され、その上面の一部が本体部３の内底面の一部を形成している。なお、切欠部Ｋ８２が切欠部Ｋ７２と係合する際に辺部９０ａが支障とならないように、辺部９０ａにおける第４片部９０の先端側には、切欠部Ｋ９０が形成されている。
【００７６】
また、第４片部９０の背面部４０側の端部領域には、背面部４０の下辺に沿って開口部９３が形成されている。すなわち、開口部９３は、第４片部９０に形成された切欠部Ｋ９２を構成する辺部９２と背面部４０の下辺（つまり、辺部４４ａ）により囲まれており、開口部９３は、背面部４０の下辺に沿って横長に形成されている。ここで、辺部９２は、折れ線Ｃ８−１の端部から連設され、折れ線Ｃ８−１に対して直角方向に形成された直線状の辺部９２ａと、辺部９２ａから連設され略円弧状の辺部９２ｂと、辺部９２ｂの端部から連設され背面部４０の下辺と平行な直線状の辺部９２ｃと、辺部９２ｃの端部から連設され略円弧状の辺部９２ｄと、辺部９２ｄの端部から連設され折れ線Ｃ８−２の端部まで折れ線Ｃ８−２に対して直角方向に形成された辺部９２ｅとを有している。この開口部９３により、切目線Ｋ４４を破断する際に分離部４４の内側の下端領域に指を係止しやすくなっている。なお、切目線Ｋ４４の両側の端部間の辺部４４ａにおける全ての範囲が開口部９３の辺部を構成しているが、開口部９３の左右方向の長さを短くして、辺部４４ａの一部が開口部９３の辺部を構成するようにしてもよい。つまり、開口部９３は、下辺部分４４ａにおける少なくとも一部を辺部とする開口部であればよい。底面部５０の組立て状態においては、第４片部９０は、切欠部Ｋ９２が設けられている点以外は、第１片部６０と底面部５０の中心位置を介して略点対称に形成されている。
【００７７】
以上のように、底面部５０において、隣接する２つの片部（第１片部６０と第２片部７０）である底面部第１片部対の一方における他方の側の部分である先端部（第１端部領域）７４が折れ線を介して折曲げ可能であり、該先端部７４が第１片部６０に接着され、他の隣接する２つの片部（第３片部８０と第４片部９０）である底面部第２片部対の一方における他方の側の部分である先端部（第２端部領域）８４が折れ線を介して折曲げ可能であり、該先端部８４が第４片部９０に接着されている。
【００７８】
本体部３を箱状に組み立てた状態では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。つまり、スリーブ状部５は、底面部５０に対して略直角（直角でもよい）となる。また、スリーブ状部５を構成する各部材（正面部１０、側面部２０、３０、背面部４０）における隣接する部材は互いに直角（略直角としてもよい）となっている。
【００７９】
また、本体部３は、平板状に折り畳むことができ（図９参照）、本体部３においては、正面部１０と側面部２０との角度を小さくし（つまり、直角より小さくする）、背面部４０と側面部３０との角度を小さくさせる（つまり、直角より小さくする）ことにより、四角筒状のスリーブ状部５が扁平になるとともに、底面部５０を構成する各部がスリーブ状部５内に回動して、本体部３を全体に平板状に折り畳むことができる。本体部３を折り畳んだ状態では、底面部５０を構成する各部は、スリーブ状部５内にスリーブ状部５を構成する正面部１０、側面部２０、３０、背面部４０に対して略平行な状態となる。
【００８０】
次に、副体部１０１は、主として、本体部３の分離部４４と接着するとともに、本体部３の上面と正面部１０の切欠部Ｋ１０をカバーするためのものであり、図１、図２、図５に示すように、正面部１１０と、背面部１４０と、上面部１５０と、フラップ１６０とを有している。
【００８１】
ここで、正面部（副体部正面部）１１０は、上面部１５０から折れ線Ｃ１１を介して連設されていて、略長方形状を呈し、上面部１５０との折れ線Ｃ１１の左側面側の端部から連設された直線状の辺部１１０ａと、辺部１１０ａの端部から連設された円弧状（略円弧状としてもよい）の辺部１１０ｂと、辺部１１０ｂの端部から連設された直線状の辺部１１０ｃと、辺部１１０ｃの端部から連設された円弧状（略円弧状としてもよい）の辺部１１０ｄと、辺部１１０ｄの端部から連設された直線状の辺部１１０ｅとを有している。辺部１１０ｂは、辺部１１０ａと辺部１１０ｃがなす角部を円弧状に面取りしており、辺部１１０ｄは、辺部１１０ｅと辺部１１０ｃがなす角部を円弧状に面取りしている。
【００８２】
ここで、辺部１１０ｃは、折れ線Ｃ１１と平行に形成されており、また、辺部１１０ａと辺部１１０ｅは、折れ線Ｃ１１に対して僅かに折れ線Ｃ１１側に傾斜して形成され（辺部１１０ａと折れ線Ｃ１１間の角度α１１と辺部１１０ｅと折れ線Ｃ１１間の角度α１２は、９０度よりも小さく形成されている）、辺部１１０ａと辺部１１０ｅ間の距離が正面部１１０の先端側に行くほど短くなるように、テーパ状に形成されている。このように、辺部１１０ａ、１１０ｅがテーパ状に形成されて、正面部１１０を先細りの形状とすることにより、正面部１１０を正面部１０の内側に差し込むのを容易としている。なお、正面部１１０は、折れ線Ｃ１１と直角方向の中心線を介して左右対称に形成されている。また、正面部１１０の左右方向の最大幅（上面部１５０側の端部における長さ）は、正面部１０の内側に差し込むことができるように、背面部４０や正面部１０の左右方向の幅よりも若干小さく形成され、また、正面部１１０の基端から先端までの長さ（折れ線Ｃ１１と辺部１１０ｃ間の長さ）は、正面部１０の上下方向の長さＬ１０よりも若干短く形成され、副体部１０１を閉状態にした際に、正面部１１０の先端が底面部５０（特に、第１片部６０）の上側の面に接する長さに形成されている。副体部１０１の閉状態では、正面部１１０により切欠部Ｋ１０が内側から閉じた状態となり、本体部３の正面側が閉じた状態（つまり、正面部１０の内側からカバーされた状態）となる。
【００８３】
また、背面部（副体部背面部）１４０は、上面部１５０から折れ線Ｃ１２を介して連設されていて、方形状を呈し、その左右方向の長さは、正面部１１０の左右方向の最大幅（上面部１５０側の端部における長さ）と同一であり、背面部４０の左右方向の長さよりも若干短くなっており、また、上下方向の長さは、背面部４０の上下方向の長さ（背面部４０の上辺と下辺間の長さ）と略同一に（具体的には、若干長く）形成されていて、背面部１４０が背面部４０に接着された状態では、背面部１４０の下端と背面部４０の下端が一致した状態となっている。なお、背面部１４０の上面部１５０側の領域には、位置合わせ確認用の切込みＫ１４０、Ｋ１４２が設けられている。切込みＫ１４０は、逆Ｔ字状を呈し、切込みＫ１４０は、横方向の切込みＫ１４０ａと縦方向の切込みＫ１４０ｂとを有している。つまり、直線状の切込みＫ１４０ａと直線状の切込みＫ１４０ｂは直角をなし、切込みＫ１４０ｂの下端が切込みＫ１４０ａの左右方向の中央（略中央としてもよい）に接している。同様に、切込みＫ１４２は、逆Ｔ字状を呈し、切込みＫ１４２は、横方向の切込みＫ１４２ａと縦方向の切込みＫ１４２ｂとを有している。つまり、直線状の切込みＫ１４２ａと直線状の切込みＫ１４２ｂは直角をなし、切込みＫ１４２ｂの下端が切込みＫ１４２ａの左右方向の中央（略中央としてもよい）に接している。なお、切込みＫ１４０、Ｋ１４２は、背面部１４０の背面側の面（包装箱１において背面側に露出した面）に表れないように、正面側から半切れとなっている。
【００８４】
また、上面部１５０は、略方形状を呈し、方形状の左側面側に突状部１５４、１５６を設けるとともに右側面側に突状部１５８を設けた形状を呈し、上面部１５０における突状部１５４、１５６、１５８以外の領域が本体部１５２となり、本体部１５２は方形状を呈する。本体部１５２の左右方向の長さは、正面部１１０の左右方向の最大幅と同一であり、本体部１５２の前後方向の長さ（折れ線Ｃ１１と折れ線Ｃ１２間の長さ）は、側面部２０、３０の前後方向の長さと同一となっている。つまり、背面部１４０が背面部４０の背面側の面に接着され、正面部１１０が正面部１０の内側（背面側）に差し込まれるので、本体部１５２の前後方向の長さは、側面部２０、３０の前後方向の長さと同一となっている。副体部１０１の閉状態では、上面部１５０により本体部３の上面側が閉じた（つまり、カバーされた）状態となる。なお、折れ線Ｃ１１と折れ線Ｃ１２は直線状を呈し互いに平行になっている。
【００８５】
また、突状部１５４と突状部１５６は、本体部１５２の左側面側の辺部に沿って左側面側に突出して形成され、突状部１５４と突状部１５６は、前後方向の間隔を介して形成されている。突状部１５４は、副体部１０１の展開状態において、上面部１５０とフラップ１６０の境界位置に切込みＫ１５４を形成することにより設けられ、突状部１５６は、副体部１０１の展開状態において、上面部１５０とフラップ１６０の境界位置に切込みＫ１５６を形成することにより設けられている。ここで、切込みＫ１５４と切込みＫ１５６は同様の構成であるので、切込みＫ１５４を例にとって説明すると、切込みＫ１５４は、折れ線Ｃ１３−１の背面側の端部と折れ線Ｃ１３−２の正面側の端部間に設けられ、折れ線Ｃ１３−１の端部から折れ線Ｃ１３−１に対して鈍角の方向に直線状に形成された切込みＫ１５４ａと、切込みＫ１５４ａの端部から連設された略円弧状の切込みＫ１５４ｂと、切込みＫ１５４ｂの端部から連設され折れ線Ｃ１３−１、Ｃ１３−２の方向と平行な直線状の切込みＫ１５４ｃと、切込みＫ１５４ｃの端部から連設された略円弧状の切込みＫ１５４ｄと、切込みＫ１５４ｄの端部から折れ線Ｃ１３−２の端部まで形成され、折れ線Ｃ１３−２に対して鈍角の方向に直線状に形成された切込みＫ１５４ｅとを有している。また、切込みＫ１５６は、折れ線Ｃ１３−２の背面側の端部と折れ線Ｃ１３−３の正面側の端部間に設けられている。
【００８６】
突状部１５４と突状部１５６は、ともに先端側に行くほど幅狭（つまり、前後方向の長さが短くなる）となる略台形形状に形成され、突状部１５４、１５６の基端から先端までの長さは、副体部１０１を閉状態にした際（つまり、副体部１０１の閉状態において、上面部１５０は、本体部３の上面をカバーしている）、突状部１５４、１５６の内側の面（つまり、上面部１５０が本体部３の上面をカバーした状態では、突状部１５４、１５６の下面）が側面部２０の上辺の上側にあって該上辺に接する長さとなっている。具体的には、突状部１５４、１５６の先端が、側面部２０の外側の面よりも左側面側に若干突出する長さとなっている（つまり、突状部１５４、１５６の先端が、左右方向において側面部２０の外側の面よりも左側面側となっている）。なお、上面部１５０の撓み具合によっては、突状部１５４、１５６の内側の面の一部のみが側面部２０の上辺に接し、突状部１５４、１５６の内側の面における他の部分は側面部２０の上辺の上方に位置する場合もあり、また、上面部１５０の撓み具合によっては、副体部１０１を閉状態で静置した場合には、突状部１５４、１５６が側面部２０の上辺に接触せずに側面部２０の上辺の上方に位置する場合もあるが（この場合でも、上方から上面部１５０を押さえることにより、突状部１５４、１５６が側面部２０の上辺に接触する）、いずれにしても突状部１５４、１５６が側面部２０の上辺の上側にある。つまり、突状部１５４、１５６の内側の面が側面部２０の上辺の上側にあるためには、突状部１５４、１５６の先端が、左右方向において側面部２０の内側の面よりも左側面側（つまり、外側）であればよい。突状部１５４と突状部１５６は、同大同形状に形成されている。なお、図５において、図５に示す突状部１５４、１５６の代わりに、図２６に示す突状部１５３Ａ、１５４、１５６を設けてもよい。
【００８７】
また、突状部１５８は、本体部１５２の右側面側の辺部に沿って右側面側に突出して形成され、突状部１５８は、前後方向に細長の台形形状を呈し、先端側にいくほど幅狭となる台形形状に形成されている。つまり、突状部１５８は、本体部１５２の右側面側の辺部１５２ａの背面側の端部から連設され、本体部１５２の右側面側の辺部１５２ａに対して鈍角をなす辺部１５８ａと、辺部１５８ａの端部から連設され略円弧状を呈する辺部１５８ｂと、辺部１５８ｂの端部から連設され、折れ線Ｃ１３−１〜Ｃ１３−３と平行な直線状の辺部１５８ｃと、辺部１５８ｃの端部から連設され略円弧状を呈する辺部１５８ｄと、辺部１５８ｄの端部と本体部１５２の右側面側の辺部１５２ｂの正面側の端部間に形成された略円弧状の辺部１５８ｅとを有している。辺部１５２ａと辺部１５２ｂは同一直線上に形成され、本体部１５２と突状部１５８の境界は、辺部１５２ａや辺部１５２ｂの延長線（辺部１５２ａの辺部１５２ｂ側の端部と辺部１５２ｂの辺部１５２ａ側の端部を結ぶ直線としてもよい）となる。突状部１５８の基端から先端までの長さは、副体部１０１を閉状態にした際（つまり、副体部１０１の閉状態において、上面部１５０は、本体部３の上面をカバーしている）、突状部１５８の内側の面（つまり、上面部１５０が本体部３の上面をカバーした状態では、突状部１５８の下面）が側面部３０の上辺の上側にあって該上辺に接する長さとなっている。具体的には、突状部１５８の先端が、側面部３０の外側の面よりも右側面側に若干突出する長さとなっている（つまり、突状部１５８の先端が、左右方向において側面部３０の外側の面よりも右側面側となっている）。なお、上面部１５０の撓み具合によっては、突状部１５８の内側の面の一部のみが側面部３０の上辺に接し、突状部１５８の内側の面における他の部分は側面部３０の上辺の上方に位置する場合もあり、また、上面部１５０の撓み具合によっては、副体部１０１を閉状態で静置した場合には、突状部１５８が側面部３０の上辺に接触せずに側面部３０の上辺の上方に位置する場合もあるが（この場合でも、上方から上面部１５０を押さえることにより、突状部１５８が側面部３０の上辺に接触する）、いずれにしても突状部１５８が側面部３０の上辺の上側にある。つまり、突状部１５８の内側の面が側面部３０の上辺の上側にあるためには、突状部１５８の先端が、左右方向において側面部３０の内側の面よりも右側面側（つまり、外側）であればよい。
【００８８】
また、突状部１５８は、本体部１５２の右側面側の辺部の正面側の端部近傍から背面側の端部近傍にまで形成されている。このように、突状部１５４、１５６、１５８が設けられていることにより、副体部１０１が閉状態において、上面部１５０に対して上方から力が加わっても、突状部１５４、１５６、１５８により側面部２０と側面部３０間に上面部１５０を支えるので、上面部１５０が本体部３の収納空間内に沈み込むことがない。また、突状部１５８は、本体部１５２の右側面側の辺部の正面側の端部近傍から背面側の端部近傍にまで形成されているので、副体部１０１を閉状態にした際に、側面部３０の上辺の内側には上方に開口した隙間が形成されず、ゴミや埃が入るのを防止することができる。なお、突状部１５８は、本体部１５２の右側面側の辺部の正面側の端部近傍から背面側の端部近傍にまで形成されているとしたが、「正面側の端部近傍」の代わりに「正面側の端部」としてもよく、「背面側の端部近傍」の代わりに「背面側の端部」としてもよい。
【００８９】
なお、突状部１５８は、「上面部の特定辺部側とは反対側の辺部に沿った端部領域」に当たる。
【００９０】
また、フラップ１６０は、上面部１５０（具体的には、上面部１５０の本体部１５２）の左側面側の辺部（特定辺部）から折れ線Ｃ１３−１、Ｃ１３−２、Ｃ１３−３を介して連設され、略台形形状に形成されている。すなわち、フラップ１６０は、本体部１５２の左側面側の辺部１５２ｃの背面側の端部から連設された略円弧状の辺部１６０ａと、辺部１６０ａの端部から連設された略円弧状の辺部１６０ｂと、辺部１６０ｂの端部から連設された直線状の辺部１６０ｃと、辺部１６０ｃの端部から連設された略円弧状の辺部１６０ｄと、辺部１６０ｄの端部から連設され、本体部１５２の左側面側の辺部１５２ｄの正面側の端部まで形成された辺部１６０ｅとを有している。フラップ１６０の正面側の端部（つまり、折れ線Ｃ１３−１の正面側の端部）は、本体部１５２の左側面側の辺部における正面側の端部近傍（端部としてもよい）であり、フラップ１６０の背面側の端部（つまり、折れ線Ｃ１３−３の背面側の端部）は、本体部１５２の左側面側の辺部における背面側の端部近傍（端部としてもよい）となっている。辺部１６０ｂは、辺部１６０ａと辺部１６０ｃがなす角部を円弧状に面取りしており、辺部１６０ｄは、辺部１６０ｅと辺部１６０ｃがなす角部を円弧状に面取りしている。辺部１６０ｂの略円弧の径と辺部１６０ｄの略円弧の径は略同一であり、辺部１６０ａの略円弧の径は、辺部１６０ｂの略円弧の径よりも大きく形成されている。辺部１５２ｃ、１５２ｄと折れ線Ｃ１３−１、Ｃ１３−２、Ｃ１３−３は同一直線上に形成されている。
【００９１】
また、辺部１６０ａは折れ線Ｃ１３−１に対して傾斜して形成され、具体的には、辺部１６０ａの辺部１５２ｃ側の端部における接線と折れ線Ｃ１３−１間の角度は、９０度よりも小さく形成され、辺部１６０ｅは折れ線Ｃ１３−３に対して傾斜して形成され、具体的には、辺部１６０ｅと折れ線Ｃ１３−３間の角度は、９０度よりも小さく形成されている。つまり、辺部１６０ａと辺部１６０ｅ間の距離がフラップ１６０の先端側に行くほど短くなるように、テーパ状に形成されている。このように、辺部１６０ａ、１６０ｅがテーパ状に形成されて、フラップ１６０を先細りの形状とすることにより、フラップ１６０を側面部２０の内側に差し込むのを容易としている。特に、辺部１６０ａは略円弧状に形成されているので、フラップ１６０を差し込む際に正面部１０の縦方向部１４と干渉することがない。また、フラップ１６０の前後方向の最大幅（フラップ１６０側の端部における長さ）は、側面部２０の内側に差し込むことができるように、側面部２０、３０の前後方向の幅よりも若干小さく形成され、また、フラップ１６０の基端から先端までの長さ（折れ線Ｃ１３と辺部１６０ｃ間の長さ）は、側面部２０の上下方向の長さＬ２０よりも短く形成され、具体的には、長さＬ２０の略半分の長さとなっている。
【００９２】
上面部１５０の左側面側においては、フラップ１６０が連設されているとともに、フラップ１６０が連設されていない箇所には、突状部１５４、１５６が設けられているので、副体部１０１を閉状態にした際には、側面部２０の上辺の内側には上方に開口した隙間が形成されず、ゴミや埃が入るのを防止することができる。
【００９３】
なお、副体部１０１を閉状態にした際には、正面部１１０が正面部１０の内側に正面部１０の内側の面に沿って配置され、フラップ１６０が、側面部２０の内側に側面部２０の内側の面に沿って配置され、上面部１５０は、本体部３の上面をカバーした状態となり、上面部１５０は、側面部２０、３０の上辺に沿った状態となり、底面部５０（特に、スリーブ状部５の下辺により囲まれた平面（折れ線Ｃ６〜Ｃ９により囲まれた平面））に対して平行（略平行としてもよい）となる。また、副体部１０１を閉状態にした際には、上面部１５０は、背面部１４０に対して直角（略直角としてもよい）となり、正面部１１０とフラップ１６０は、上面部１５０に対して直角（略直角としてもよい）となる。ここで、側面部２０は、「側面部２０と側面部３０の２つの側面部における特定辺部に対応する側面部」に当たる。
【００９４】
また、フラップ１６０は、上面部１５０の左側面側からは連設されているものの、上面部１５０の右側面側には連設されていないが、これは、包装箱１を折り畳んだ状態では、図９に示すようになり、糊代部４９が側面部３０に対して折曲しない状態となるが、仮に、フラップが上面部１５０の右側面側にも設けられていると、包装箱１を折り畳んだ状態で、フラップが上面部１５０の右側面側から突出してしまって（つまり、本体部３の左右方向の幅の外側に突出してしまう）、折り畳んだ状態でのスペースを余分に必要としてしまうことから、上面部１５０の右側面側にフラップを設けていない。なお、仮に上面部１５０の右側面側にフラップを設けた場合に、包装箱１の折畳み状態で、フラップを上面部に対して折り返すことも考えられるが、ブランクの復元力によりフラップが上面部１５０に対して折り返した状態から右側面側に開いてしまうため、現実的ではない。
【００９５】
なお、本体部３と副体部１０１は、分離部４４の箇所で互いに接着されている。つまり、分離部４４の外側の面と背面部１４０の内側の面とが接着剤その他の接着手段により接着されることにより、包装箱１が全体に一体に形成される。つまり、分離部４４の外側の面の全部又は一部の領域と背面部１４０の内側の面の一部の領域の間には接着剤層（図示せず）が設けられている。該接着剤層の接着力は、分離部４４の内側の面に手を係止した状態で、分離部４４を斜め上方に引き上げて切目線Ｋ４４を破断するので、任意ではあるが、背面部１４０を外側に引っ張った場合に、切目線Ｋ４４が破れて分離部４４が本体部３から分離し、分離部４４が、背面部１４０に接着した状態で背面部１４０に従動するような接着力とするのが好ましい。
【００９６】
なお、本体部３及び副体部１０１において、各折れ線の箇所には、予め罫線が形成されている。特に、折れ線Ｃ１、Ｃ２、Ｃ３、Ｃ４、Ｃ６、Ｃ７、Ｃ８、Ｃ９においては、本体部３の内側の面から押圧した押罫であり、折れ線Ｃ１１、Ｃ１２、Ｃ１３−１、Ｃ１３−２、Ｃ１３−３においては、副体部１０１の内側の面から押圧した押罫となっている。底面部５０における折れ線７０−１、８０−１は、上面側から見て山折りとなるので、外側の面から押圧した押罫とするのが好ましい。
【００９７】
また、本体部３と副体部１０１が接着された状態では、背面部４０の上辺４０Ｔａ、４０Ｔｂ、４０Ｔｃと折れ線Ｃ１２とが高さ方向に略一致（一致としてもよい）した状態となっており、厳密には、折れ線Ｃ１２が上辺４０Ｔａ、４０Ｔｂ、４０Ｔｃよりも若干上側となっている。これにより、上面部１５０により本体部３の上面を閉じた際に、突状部１５４、１５６が側面部２０の上辺に接するとともに突状部１５８が側面部３０の上辺に接し、上面部１５０と側面部２０、３０の上辺との間の隙間が形成されるのを防止することができる。
【００９８】
また、本体部３と副体部１０１が接着された状態では、背面部１４０の下端と背面部４０の下端が一致（略一致としてもよい）している。
【００９９】
上記構成の包装箱１の製造工程について説明する。まず、展開状態の本体部３と副体部１０１とを製造する。
【０１００】
次に、副体部１０１の内側の面に本体部３の外側の面を接着させる（第１接着工程）。つまり、展開状態の副体部１０１の内側の面を上側にして、背面部１４０における分離部４４との接着領域に接着剤を塗布して、展開状態の本体部３を図６に示すように重ねる。これにより、分離部４４と背面部１４０が接着される（第１接着工程）。その際、背面部４０の下辺と背面部１４０の下辺とが一致する（略一致するとしてもよい）ようにする。なお、分離部４４の外側の面の領域に接着剤を塗布して、分離部４４を背面部１４０に接着させてもよい。
【０１０１】
次に、本体部３の底面部５０を構成する各部をスリーブ状部５に対して内側に折り返し、さらに、第２片部７０の先端部７４を本体部７２に対して外側に折り返すとともに、第３片部８０の先端部８４を本体部８２に対して外側に折り返して、図７に示す状態とする（折り返し工程）。つまり、第１片部６０を折れ線Ｃ６を介して正面部１０側に折り返し、第２片部７０を折れ線Ｃ７を介して側面部２０側に折り返し、第３片部８０を折れ線Ｃ９を介して側面部３０側に折り返し、第４片部９０を折れ線Ｃ８−１、Ｃ８−２を介して背面部４０側に折り返し、さらに、先端部７４を本体部７２に対して折り返すとともに、先端部８４を本体部８２に対して折り返して、図７に示す状態とする。
【０１０２】
次に、先端部７４の領域に接着剤を塗布して（接着剤塗布工程）、正面部１０を折れ線Ｃ１を介して側面部２０の側に内側に折り返す（第２折り返し工程）ことにより（図８参照）、先端部７４が第１片部６０に接着される（第２接着工程）。なお、先端部７４の代わりに、第１片部６０における先端部７４との接着領域に接着剤を塗布してもよい。
【０１０３】
次に、先端部８４の領域と、糊代部４９の領域に接着剤を塗布して（接着剤塗布工程）、側面部３０を折れ線Ｃ３を介して背面部４０の側に内側に折り返すことにより、図９に示す状態とする。すると、先端部８４と第４片部９０が接着され、糊代部４９が正面部１０の外側の面に接着される（第３接着工程）。なお、糊代部４９の代わりに、正面部１０における糊代部４９との接着領域に接着剤を塗布してもよく、また、先端部８４の代わりに、第４片部９０における先端部８４との接着領域に接着剤を塗布してもよい。以上のようにして、包装箱１が製造される。なお、上記の製造は、組立て装置により自動で製造される。以上のように、第１接着工程〜第３接着工程により包装箱１を製造できるので、容易に包装箱１を製造することができる。なお、糊代部４９を正面部１０の内側の面に接着する場合には、先端部８４に接着剤を塗布した状態で側面部３０を折り返し、その後に、先端部７４と糊代部４９に接着剤を塗布した状態で正面部１０を折り返すことになる。
【０１０４】
なお、本体部３と副体部１０１とを接着した際に、本体部３と副体部１０１の相対位置が正しいか否かは、位置合わせ確認用の切込みにより確認することができる。すなわち、切込み４０ｆと切込みＫ１４０ｂの左右方向の位置が一致し、切込み４２ｆと切込みＫ１４２ｂの左右方向の位置が一致しているか否かにより左右方向の位置を確認でき、また、切欠部Ｋ４０の辺部４０ｃと切込みＫ１４０ａの上下方向の位置が一致し、切込みＫ４２の辺部４２ｃと切込みＫ１４２ａの上下方向の位置が一致しているか否かにより上下方向の位置が確認できる。
【０１０５】
なお、上記の製造工程において、第３片部８０を側面部３０側に折り返し、第４片部９０を背面部４０側に折り返し、さらに、先端部８４を本体部８２に対して折り返す工程は、正面部１０を側面部２０の側に折り返して、先端部７４を第１片部６０に接着した後で、先端部８４の領域と、糊代部４９の領域に接着剤を塗布する前に行ってもよい。その場合、上記折返し工程では、第１片部６０と第２片部７０を折り返して、先端部７４を折り返し、その後、先端部７４に接着剤を塗布することになる。
【０１０６】
また、先端部７４への接着剤の塗布は、第２片部７０を折り返し先端部７４を折り返した状態で行うとしたが、第２片部７０を側面部２０に対して折り返す前の状態で、先端部７４に接着剤を塗布した後に、第２片部７０を折り返しながら先端部７４を折り返すようにしてもよい。
【０１０７】
また、先端部８４への接着剤の塗布は、第３片部８０を折り返し先端部８４を折り返した状態で行うとしたが、第３片部８０を側面部３０に対して折り返す前の状態で、先端部８４に接着剤を塗布した後に、第３片部８０を折り返しながら先端部８４を折り返すようにしてもよい。なお、先端部８４への接着剤の塗布は、先端部７４と第１片部６０を接着した後で行ってもよい。
【０１０８】
上記構成の包装箱１の使用方法について説明する。包装箱１を使用しない状態では、包装箱１は図９に示すように平板状に折り畳むことができるので、折り畳んで保管しておく。
【０１０９】
次に、包装箱１を使用する際に、包装箱１を組み立てる。すなわち、本体部３における正面部１０と背面部４０が互いに平行になり、側面部２０と側面部３０が互いに平行になるようにし、底面部５０をスリーブ状部５に対して直角となるように組み立てることにより、包装箱１が、図１、図２に示すように組み立てられる。
【０１１０】
そして、図１０に示すように、本体部３に被収納物（商品）Ｇを収納する。なお、図９の状態から本体部３を組み立てた場合には、図１、図２に示すように、上面部１５０や正面部１１０は上方に伸びた状態となっていて、本体部３の上方が開口した状態になっているので、被収納物Ｇをそのまま本体部３の上方から収納すればよい。なお、被収納物が柔らかいものであれば、正面部１０や側面部２０と被収納物との間に隙間を設けなくても、正面部１０や側面部２０の差込みに支障はないが、被収納物Ｇが図１０に示すような箱状等の硬いものである場合には、正面部１０と被収納物との間や側面部２０と被収納物との間に隙間を設けておく。
【０１１１】
被収納物Ｇを収納したら、副体部１０１を閉状態にして被収納物を包装する。すなわち、上面部１５０を正面側に回動させるとともに、フラップ１６０を上面部１５０に対して折り曲げた状態として本体部３内に挿入し、正面部１１０を上面部１５０に対して折り曲げた状態として本体部３内に挿入して、図１１、図１２、図１３に示す状態にする。つまり、フラップ１６０が側面部２０の内側となるようにするとともに、正面部１１０が正面部１０の内側となるようにして、本体部３の上面側を上面部１５０により閉じた状態とする。
【０１１２】
なお、副体部１０１を閉状態にした際には、正面部１１０の先端（辺部１１０ｃ）が底面部５０（具体的には、第１片部６０）の上面に接し（つまり、正面部１１０が正面部１０と平行（略平行としてもよい）で正面部１０の内側の面に沿った状態で、正面部１１０の先端が底面部５０の上面に接する）、上面部１５０が本体部３の上面をカバーし、突状部１５４、１５６の下面が側面部２０の上辺に接し、さらに、突状部１５８の下面が側面部３０の上辺に接する。
【０１１３】
以上のようにして、被収納物Ｇを包装箱１に包装したら、包装箱１を被収納物Ｇを陳列する場所に搬送する。
【０１１４】
その後、被収納物を陳列する場合には、切目線Ｋ４４を破断して、副体部１０１を本体部３から分離して、副体部１０１を取り除く。
【０１１５】
すなわち、包装箱１の底面に設けられた開口部９３に指（具体的には、親指以外の指（例えば、人差し指〜小指の４本の指））を入れて分離部４４の内側の面の下端領域に指を引っ掛け（図１４参照）、分離部４４を外側に引っ張ることにより、切目線Ｋ４４が下端から上方に向けて破断するとともに、背面部１４０が折れ線Ｃ１２を介して回動する（図１５）。さらに、背面部１４０を上方まで持ち上げると、図１６に示す状態となる。なお、図１６においては、正面部１１０の状態を示すために、被収納物Ｇを仮想線で表している。
【０１１６】
そして、正面部１１０を本体部３から引き出して、副体部１０１（厳密には、分離部４４が接着された副体部１０１）を取り除くことにより、図１７、図１８に示す状態となり、正面部１０の側を陳列における正面側として、被収納物Ｇを陳列する。陳列された被収納物Ｇは、上方から視認できるとともに、切欠部Ｋ１０を介して正面側から視認することができる。
【０１１７】
なお、切目線Ｋ４４を破断する際に、親指で背面部１４０の外側面を押さえて背面部１４０をつかんだ状態として、背面部１４０を上方に回動させて切目線Ｋ４４を破断したら、図１６に示すように、背面部１４０を上方まで持ち上げ、背面部１４０を持った手で正面部１１０を引き出すことにより副体部１０１を取り除くことができるので、１つの一連の動作で切目線Ｋ４４の破断と副体部１０１の取出しを行なうことができる。
【０１１８】
以上のように、本実施例の包装箱１によれば、切目線Ｋ４４を破断して分離部４４のみを分離すればよいので、副体部１０１（包装箱１の一部）を取り除く作業を容易に行うことができ、被収納物の陳列作業を容易に行なうことができ、特に、切目線Ｋ４４を破断することによる分離部４４の分離と副体部１０１の取出しを一連の作業で行なうことができるので、被収納物の陳列作業を容易に行うことができる。
【０１１９】
なお、分離部４４の下端に指を係止した状態で、分離部４４の下端を外側にひっぱることにより切目線Ｋ４４が破断するので、切目線Ｋ４４の破断を容易に行なうことができる。
【０１２０】
副体部１０１を閉状態にした際には、正面部１１０の先端（辺部１１０ｃ）が底面部５０（具体的には、第１片部６０）の上面に接し、上面部１５０が本体部３の上面をカバーし、突状部１５４、１５６の下面が側面部２０の上辺の上側にあり、さらに、突状部１５８の下面が側面部３０の上辺の上側にあるので、副体部１０１の閉状態における包装箱１の強度を高く維持することができ、例えば、上面部１５０に対して上から力が加わっても、上面部１５０が下方に沈み込むのを防止することができる。
【０１２１】
また、本体部３と副体部１０１は、展開状態において略方形状を呈するので、ブランクの面積を有効活用できる。つまり、本実施例の包装箱１の２つ分をシート状のブランクから形成する場合に、図１９に示すように、領域Ｒ１の面積があればよい。
【０１２２】
一方、仮に、本体部３と副体部１０１を一体にしたものに近似した包装箱１００１の２つを１つのブランクで形成しようとすると、図２０に示す構成となり、領域Ｒ１１の面積が必要になってしまい、図２０のハッチングに示す２つの領域が無駄になってしまうことから、領域Ｒ１の面積を領域Ｒ１１の面積よりも小さくできる。
【０１２３】
なお、図２０に示す包装箱１００１においては、背面部４０’から切目線Ｋ４０’を介して上面部１５０が連設されており、背面部４０’には、包装箱１と異なり、分離部は設けられていない。被収納物を陳列する場合には、切目線Ｋ４０’を破断して、上面部１５０と正面部１１０とフラップ１６０を取り除くことになる。この包装箱１００１においては、背面部４０’と上面部１５０とが切目線Ｋ４０’により連設されているので、上面部１５０に上側から力が加わった場合に、切目線Ｋ４０’が破断しやすく、本実施例の包装箱１よりも強度が弱いと言える。つまり、本実施例の包装箱１では、背面部４０と背面部１４０が重なる構成であるにも関わらず、本体部３と副体部１０１がともに略方形状を呈するので、ブランクの面積を有効活用でき、さらには、上面部１５０の辺部に沿って切目線が存在しないので、強度を高めることができるといえる。
【０１２４】
なお、上記の説明において、フラップ１６０は上面部１５０の左側面側から連設されているとしたが、副体部１０１を前後方向の中心面を介して左右対称の構成として、フラップ１６０を上面部１５０の右側面側から連設された構成としてもよい。その場合には、本体部３についても、前後方向の中心面を介して左右対称の構成とする。このように、左右対称の構成とする場合には、包装箱の製造に際しては、図７においては、本体部３と副体部１０１を左右線対称にして（つまり、表裏を逆にして）配置することになる。
【０１２５】
また、副体部１０１を閉状態にした際には、正面部１１０の先端（辺部１１０ｃ）が底面部５０の上面に接するとしたが、正面部１１０の基端から先端までの長さを短くして、副体部１０１を閉状態にした際に、正面部１１０の先端が底面部５０に接しないようにしてもよい。なお、正面部１１０の基端から先端までの長さを短くする場合には、正面部１１０の先端の辺部１１０ｃが横方向部１２によりカバーされる必要があるので、副体部１０１を閉状態にした際に、辺部１０ｄの上下方向の位置を辺部１１０ｃよりも上側とする。
【０１２６】
また、底面部５０においては、正面部１０から第１片部６０が連設され、側面部２０から第２片部７０が連設されるとしたが、組立て状態における本体部３の左右方向の長さが前後方向の長さよりも長い場合等には、正面部１０から第２片部７０が連設され、側面部２０から第１片部１０が連設される構成としてもよい。その場合でも、先端部７４は、第２片部７０における第１片部６０側に形成され、例えば、第１片部６０と第２片部７０は、本体部３の展開状態において第１片部６０と第２片部７０間の中心線を介して左右対称となる。同様に、側面部３０から第３片部８０が連設され、背面部４０から第４片部９０が連設されるとしたが、側面部３０から第４片部９０が連設され、背面部４０から第３片部８０が連設される構成としてもよい。その場合でも、先端部８４は、第３片部８０における第４片部９０側に形成され、例えば、第３片部８０と第４片部９０は、本体部３の展開状態において第３片部８０と第４片部９０間の中心線を介して左右対称となる。
【０１２７】
また、本体部３は、上記の構成であるとして説明したが、本体部３の代わりに図２１に示す本体部３Ａとしてもよい。すなわち、本体部３Ａにおいては、正面部１０と側面部２０の構成が本体部３の場合とは異なる。
【０１２８】
すなわち、本体部３Ａにおける正面部１０は、方形状を呈し（厳密には、左右の上端の角部が略円弧状に面取りされている）、本体部３とは異なり、切欠部は設けられていない。
【０１２９】
また、側面部２０は、方形状（具体的には、長方形状）を呈し、略Ｕ字状の切目線Ｋ２４が形成されている。切目線Ｋ２４は、側面部２０の上辺から下方に向けて折れ線Ｃ２と平行に直線状に形成された切目線Ｋ２４ａと、切目線Ｋ２４ａの下端から連設され、円弧状に形成された切目線Ｋ２４ｂと、切目線Ｋ２４ｃの端部から連設され、折れ線Ｃ７と平行に直線状に形成された切目線Ｋ２４ｃと、切目線Ｋ２４ｃの正面側の端部から連設され、円弧状に形成された切目線Ｋ２４ｄと、切目線Ｋ２４ｄの端部から上方に向けて側面部２０の上辺まで折れ線Ｃ１と平行に直線状に形成された切目線Ｋ２４ｅとを有し、切目線Ｋ２４の両側の端部は、側面部２０の上辺に接している。切目線Ｋ２４ａと折れ線Ｃ２間の長さと切目線Ｋ２４ｅと折れ線Ｃ１間の長さは同一であり、図２１において、側面部２０は、切目線Ｋ２４を含めて、上下方向の中心線を介して左右対称に形成されている。この側面部２０が、特定側面部に当たり、切目線Ｋ２４は、「上方に開口した切欠部を特定側面部に形成するための切目線である切欠部形成用切目線」に当たる。
【０１３０】
切目線Ｋ２４に沿った辺部と側面部２０の上辺で囲まれた領域が切取り部２４となり、側面部２０は、切取り部２４と、側面部２０における切取り部２４以外の領域である本体部２２とを有している。つまり、切目線Ｋ２４を破断することにより、切目線Ｋ２４に沿った辺部と側面部２０の上辺により囲まれた切取り部２４が側面部２０から取り除かれ、本体部２２には、上方に開口した切欠部が設けられる。この切欠部を介して、陳列状態の被収納物を視認することができる。
【０１３１】
本体部３Ａにおいて、上記以外の構成は本体部３と同様であるので、詳しい説明を省略する。
【０１３２】
また、本体部３Ａに接着する副体部は、図５に示す副体部１０１と同一の構成であり、副体部１０１の背面部１４０が背面部４０の分離部４４と接着される。
【０１３３】
本体部３Ａを用いた包装箱の製造方法は、包装箱１と同様であり、また、包装箱の使用方法も側面部２０側を陳列における正面側として陳列を行なう以外は同様である。
【０１３４】
つまり、本体部３Ａに被収納物を収納する際には、側面部２０側を陳列における正面側となるように被収納物を収納し、被収納物を収納したら、包装箱１の場合と同様に、上面部１５０を正面側に回動させるとともに、フラップ１６０を上面部１５０に対して折り曲げた状態として本体部３Ａ内に挿入し、正面部１１０を上面部１５０に対して折り曲げた状態として本体部３Ａ内に挿入して、フラップ１６０が側面部２０の内側となるようにするとともに、正面部１１０が正面部１０の内側となるようにして、本体部３Ａの上面側を上面部１５０により閉じた状態とする。
【０１３５】
被収納物を陳列する際には、包装箱１の場合と同様に、切目線Ｋ４４を破断して副体部１０１を本体部３Ａから分離し、副体部１０１（分離部４４が接着された副体部１０１）を取り除く。その後、切目線Ｋ２４を破断して、切取り部２４を側面部２０から分離することにより、本体部２０に切欠部が設けられた構成となる。そして、側面部２０側（つまり、本体部２２側）を陳列における正面側として、被収納物を陳列する。
【０１３６】
このように、側面部２０側を陳列における正面側とすることができるので、側面部２０の横方向の長さが正面部１０の横方向の長さよりも長い場合に、陳列における正面側における横幅を大きくして陳列することができる。つまり、本体部３や本体部３Ａにおいては、底面部５０ワンタッチ底による構成からすると、第２片部７０の側面部２０の下辺に沿った長さが、第１片部６０の側面部１０の下辺に沿った長さよりも長く形成される場合があり、そうすると、側面部２０の横幅が正面部１０の横幅よりも長くなるので、側面部２０の側を陳列における正面側とすることにより、正面部１０の側を陳列における正面側とするよりも陳列における正面側の横幅を長くすることができ、例えば、収納される被収納物の横幅が長い場合に対応することができる。すなわち、底面部がワンタッチ底により構成される場合に、第２片部７０や第３片部８０のように先端部が本体部に対して折曲する構成の片部から連設された部材（スリーブ状部を構成する部材）の下辺に沿った長さが、該片部に隣接する片部の該下辺に沿った長さよりも長い場合があるので、陳列における正面側の横幅を長くしたい場合に、図２１に示されるように、側面部２０に切目線Ｋ２４を形成する方法を用いることができる。つまり、図２１に示す構成においては、先端部が本体部に対して折曲する構成の片部から連設された部材（スリーブ状部を構成する部材）である側面部２０、３０を陳列における正面側と背面側にすることができる。また、図２１に示す構成は、図４において、正面部１０から第２片部７０が連設され、側面部２０から第１片部６０が連設され、側面部３０から第４片部９０が連設され、背面部４０から第３片部８０が連設された構成とすることが製造装置の影響でできない場合に、陳列における正面側の横幅を長くするのに有効である。
【０１３７】
なお、図２１の例では、側面部２０に切目線Ｋ２４を形成するとしたが、側面部２０に切目線Ｋ２４を形成する代わりに、側面部３０に切目線Ｋ２４と同様の構成の切目線を形成してもよい。この場合でも、陳列における正面側の横幅を長くすることができる。
【０１３８】
なお、図２１に示すように、先端部が本体部に対して折曲する構成の片部から連設された部材を陳列における正面側と背面側とする方法としては、図２２に示す構成としてもよい。すなわち、図２２に示す包装箱１Ａの本体部３Ｂにおいては、第２片部７０から折れ線Ｃ７−１、Ｃ７−２を介して背面部４０が連設され、第３片部８０から折れ線Ｃ９を介して正面部１０が連設され、第１片部から折れ線Ｃ６を介して側面部２０が連設され、第４片部９０から折れ線Ｃ８を介して側面部３０が連設されている。また、副体部１０１Ａにおいては、フラップ１７０が、上面部１５０の右側面側の辺部から連設されている。フラップ１７０は、後述の副体部１０１Ｂのフラップ１７０と同一の構成である。また、上面部１５０においては、右側面側に突状部１５５、１５７が形成されている。突状部１５５、１５７は、後述の副体部１０１Ｂの上面部１５０の突状部１５５、１５７と同一の構成である。また、突状部１５８は、上面部１５０の本体部１５２の左側面側の辺部に沿って設けられている。上面部１５０から連設された背面部１４０は、分離部４４の外側の面に接着される。なお、図２２において、図２２に示す突状部１５５、１５７の代わりに、図２６に示す突状部１５３Ｂ、１５５、１５７を設けてもよい。
【０１３９】
図２２に示す構成によっても、第２片部７０や第３片部８０から連設された部材（背面部４０、正面部１０）の横方向の長さが、第１片部６０や第４片部９０から連設された部材（側面部２０、３０）の横方向の長さよりも長い場合に、陳列における正面側（図２２では、正面部１０側）の横幅を長くすることができる。
【０１４０】
なお、図２１の構成と図２２の構成とを比較すると、図２２の構成では、本体部３Ｂにおいて、スリーブ状部５を構成する各部の構成が図３の構成と異なるとともに、副体部１０１Ａの構成も図５に示す副体部１０１の構成と異なるのに対して、図２１に示す構成では、図３の構成に対して、正面部１０と側面部２０の構成を変更すればよく、また、副体部の構成は、図５に示す構成のままでよいので、少ない手間で、図３の構成と図２１の構成の両方を得ることができるといえる。
【０１４１】
また、上記の説明においては、副体部１０１におけるフラップは上面部１５０における１つの辺部のみから連設されているとしたが、図２３に示すように、上面部１５０における相対する２つの辺部からフラップが連設された構成としてもよい。すなわち、図２３に示す副体部１０１Ｂにおいては、フラップ１６０が、上面部１５０の左側面側の辺部から折れ線Ｃ１３−１、Ｃ１３−２、Ｃ１３−３を介して連設されているとともに、フラップ１７０が、上面部１５０の右側面側の辺部から折れ線Ｃ１４−１、Ｃ１４−２、Ｃ１４−３を介して連設されている。
【０１４２】
フラップ（第２フラップ）１７０は、副体部１０１Ｂの展開状態において、前後方向の中心線を介してフラップ１６０と左右対称に形成されている以外は同様の構成である。すなわち、フラップ１７０は、略台形形状を呈している。副体部１０１Ｂを閉状態にした際には、フラップ１７０は、側面部３０の内側に側面部３０の内側の面に沿って配置される。
【０１４３】
また、副体部１０１Ｂにおいては、上面部１５０の右側面側に突状部（第２突状部）１５５、１５７が設けられている。突状部１５５は、副体部１０１Ｂの展開状態において、前後方向の中心線を介して突状部１５４と左右対称に形成されている以外は同様の構成であり、また、突状部１５７は、副体部１０１Ｂの展開状態において、前後方向の中心線を介して突状部１５６と左右対称に形成されている以外は同様の構成である。突状部１５５と突状部１５７は、副体部１０１Ｂの展開状態において、上面部１５０とフラップ１７０の境界位置に切込みを形成することにより設けられている。
【０１４４】
つまり、突状部１５５と突状部１５７は、ともに先端側に行くほど幅狭（つまり、前後方向の長さが短くなる）となる略台形形状に形成され、突状部１５５、１５７の基端から先端までの長さは、副体部１０１Ｂを閉状態にした際（つまり、副体部１０１Ｂの閉状態において、上面部１５０は、本体部３の上面をカバーしている）、突状部１５５、１５７の内側の面（つまり、上面部１５０が本体部３の上面をカバーした状態では、突状部１５５、１５７の下面）が側面部３０の上辺の上側にあって該上辺に接する長さとなっている。具体的には、突状部１５５、１５７の先端が、側面部３０の外側の面よりも右側面側に若干突出する長さとなっている。なお、上面部１５０の撓み具合によっては、突状部１５５、１５７の内側の面の一部のみが側面部３０の上辺に接し、突状部１５５、１５７の内側の面における他の部分は側面部３０の上辺の上方に位置する場合もあり、また、上面部１５０の撓み具合によっては、副体部１０１Ｂを閉状態で静置した場合には、突状部１５５、１５７が側面部３０の上辺に接触せずに側面部３０の上辺の上方に位置する場合もあるが（この場合でも、上方から上面部１５０を押さえることにより、突状部１５５、１５７が側面部３０の上辺に接触する）、いずれにしても突状部１５５、１５７が側面部３０の上辺の上側にある。つまり、突状部１５５、１５７の内側の面が側面部３０の上辺の上側にあるためには、突状部１５５、１５７の先端が、左右方向において側面部３０の内側の面よりも右側面側（つまり、外側）であればよい。突状部１５５と突状部１５７は、同大同形状に形成されている。
【０１４５】
副体部１０１Ｂによれば、上面部１５０の右側面側において、フラップ１７０が連設されているとともに、フラップ１７０が連設されていない箇所には、突状部１５５、１５７が設けられているので、副体部１０１Ｂを閉状態にした際に、側面部３０の上辺の内側には上方に開口した隙間が形成されず、ゴミや埃が入るのを防止することができる。
【０１４６】
また、突状部１５５、１５７が設けられているので、副体部１０１Ｂを閉状態にした際には、突状部１５５、１５７の下面が側面部３０の上辺の上側にあるので、副体部１０１Ｂの閉状態における包装箱の強度を高く維持することができ、例えば、上面部１５０に対して上から力が加わっても、上面部１５０が下方に沈み込むのを防止することができる。
【０１４７】
また、包装箱を図２４〜図２６に示す包装箱１Ｂのように、本体部３Ｃと副体部１０１Ｃにより構成したものとしてもよい。
【０１４８】
本体部３Ｃは、図４の本体部３と比べると、スリーブ状部５の構成が異なり、側面部３０、正面部１０、側面部２０、背面部４０、糊代部４９の順に折れ線を介して連設されており、正面部１０は、側面部３０から折れ線Ｃ１を介して連設され、側面部２０は、正面部１０から折れ線Ｃ２を介して連設され、背面部４０は、側面部２０から折れ線Ｃ３を介して連設され、糊代部４９は、背面部４０から折れ線Ｃ４を介して連設されている。
【０１４９】
また、第１片部６０は、側面部３０の下辺から折れ線Ｃ６を介して連設され、第２片部７０は、正面部１０の下辺から折れ線Ｃ７を介して連設され、第３片部８０は、背面部４０の下辺から折れ線Ｃ９−１、Ｃ９−２を介して連設され、第４片部９０は、側面部２０の下辺から折れ線８を介して連設されている。側面部２０が本体部３Ｃにおける左側面側の面を構成し、側面部３０が本体部３Ｃにおける右側面側の面を構成する。
【０１５０】
本体部３Ｃにおける正面部１０は、本体部３における正面部１０と同様の構成であるが、正面部１０の上辺１０Ｔａは側面部２０の上辺と同じ高さ位置にあり、正面部１０の上辺１０Ｔｂは側面部３０の上辺と同じ高さ位置にある。また、本体部３Ｃにおける側面部２０は、本体部３における側面部２０と同一の構成であり、本体部３Ｃにおける側面部３０は、本体部３における側面部３０と同一の構成であり、本体部３Ｃにおける背面部４０は、本体部３における背面部４０と同一の構成である。背面部４０は、切目線Ｋ４４を介して本体部４２と分離部４４とに区画されている。
【０１５１】
また、底面部５０は、本体部３における底面部３と同様の構成であるが、第４片部９０には本体部３の場合と比べて切欠部が設けられていないので、第３片部８０の先端部８４には、切欠部Ｋ８４のような切欠部は設けられていない。
【０１５２】
なお、糊代部４９は、側面部３０における背面側の領域に接着されるが、フラップ１６０が側面部３０に沿って側面部３０の内側に差し込まれるので、糊代部４９は側面部３０の外側の面に接着するのが好ましい。なお、糊代部４９を側面部３０の内側の面に接着してもよい。
【０１５３】
また、本体部３Ｃの底面部５０においては、本体部３の底面部５０と同様に、先端部７４が第１片部６０の下面に接着され、先端部８４が第４片部９０の下面に接着される。
【０１５４】
また、副体部１０１Ｃは、副体部１０１Ｂと略同様の構成であるが、上面部１５０において、左側面側に３つの突状部（第２突状部）１５３Ａ、１５４、１５６が設けられるとともに、右側面側に３つの突状部１５３Ｂ、１５５、１５７が設けられている点が異なり、また、フラップ１６０、１７０と正面部１１０の構成が異なる。
【０１５５】
すなわち、上面部１５０においては、突状部１５３Ｂが、本体部１５２の右側面側における正面側の端部から右側面側に突出して形成され、折れ線Ｃ１４−１の正面側の端部から折れ線Ｃ１４−１に対して鈍角に形成された直線状の辺部１５３Ｂａと、辺部１５３Ｂａの端部から連設され、折れ線Ｃ１４−１と平行に形成された辺部１５３Ｂｂと、辺部１５３Ｂｂの端部から連設され略円弧状に形成された辺部１５３Ｂｃと、辺部１５３Ｂｃの端部から連設され折れ線Ｃ１１の延長線上に形成された辺部１５３Ｂｄとを有している。突状部１５３Ａは、前後方向の中心線を介して突状部１５３Ｂと左右対称に形成されている。
【０１５６】
また、突状部１５４、１５６の構成は、副体部１０１Ｂにおける突状部１５４、１５６と同様の構成であるが、副体部１０１Ｃにおいては、突状部１５３Ａが設けられていることから、副体部１０１Ｂの場合と比べて、突状部１５４、１５６は背面側にずれた位置に設けられている。また、突状部１５５は、該中心線を介して左右対称に形成され、突状部１５７は、該中心線を介して左右対称に形成されている。
【０１５７】
また、フラップ（第２フラップ）１６０は、副体部１０１のフラップ１６０と略同様の構成であるが、その形状が若干異なり、折れ線Ｃ１３−１の正面側の端部から連設され、折れ線Ｃ１３−１に対して鈍角をなす辺部１６０ｆと、辺部１６０ｅの端部から連設され、折れ線Ｃ１３−１の方向に対して直角をなす直線状の辺部１６０ａと、辺部１６０ａの端部から連設され略円弧状を呈する辺部１６０ｂと、辺部１６０ｂの端部から連設され、折れ線Ｃ１３−１〜Ｃ１３−３と平行な直線状の辺部１６０ｃと、辺部１６０ｃの端部から連設され略円弧状を呈する辺部１６０ｄと、辺部１６０ｄの端部から連設され、折れ線Ｃ１３−３の背面側の端部まで形成され、折れ線Ｃ１３−３に対して鋭角に傾斜した直線状の辺部１６０ｅとを有している。つまり、フラップ１６０の正面側の先端が略直角をなし、また、辺部１６０ｅが設けられている点が、主として副体部１０１のフラップ１６０と異なる。なお、辺部１６０ｆは、副体部１０１Ｃの展開状態において、突状部１５３Ａの辺部（突状部１５３Ｂの辺部１５３Ｂａと左右対称の辺部）と対向しており、辺部１６０ｆと突状部１５３Ａの辺部とは、切込みを介して隣接している。
【０１５８】
また、フラップ（第２フラップ）１７０は、副体部１０１Ｃの展開状態において、前後方向の中心線を介してフラップ１６０と左右対称に形成されている以外は同様の構成である。
【０１５９】
また、副体部１０１Ｃの正面部１１０は、副体部１０１の正面部１１０と略同様の構成であるが、その形状と基端から先端までの長さが異なる。
【０１６０】
すなわち、正面部１１０は、上面部１５０との折れ線Ｃ１１の左側面側の端部から折れ線Ｃ１１に対して直角方向に連設された直線状の辺部１１０ａ−１と、辺部１１０ａ−１の端部から連設され、折れ線Ｃ１１の方向に対して鋭角に傾斜した直線状の辺部１１０ａ−２と、辺部１１０ａ−２の端部から連設された円弧状（略円弧状としてもよい）の辺部１１０ｂと、辺部１１０ｂの端部から連設された直線状の辺部１１０ｃと、辺部１１０ｃの端部から連設された円弧状（略円弧状としてもよい）の辺部１１０ｄと、辺部１１０ｄの端部から連設され、折れ線Ｃ１１の方向に対して鋭角に傾斜した直線状の辺部１１０ｅ−２と、辺部１１０ｅ−２の端部から折れ線Ｃ１１の右側面側の端部まで形成され、折れ線Ｃ１１と直角をなす直線状の辺部１１０ｅ−１とを有している。つまり、辺部１１０ａ−２、１１０ｅ−２がテーパ状に形成され、正面部１１０が先細りの形状となっている。
【０１６１】
ここで、正面部１１０の基端から先端までの長さ（折れ線Ｃ１１と辺部１１０ｃ間の長さ）Ｌ１１０は、副体部１０１の正面部１１０における長さＬ１１０よりも短く形成され、副体部１０１Ｃを閉状態にした場合に、正面部１１０の先端は、底面部５０に接っしない。なお、長さＬ１１０は、正面部１０の切欠部Ｋ１０の上下方向の長さＬ１１ａよりも長く形成され、また、正面部１１０の辺部１１０ｃの長さは、切欠部Ｋ１０の左右方向の長さＬ１１ｂよりも長く形成されていて、副体部１０１Ｃを閉状態にした場合に、正面部１１０により切欠部Ｋ１０が内側から閉じた状態となり、本体部３の正面側が閉じた状態（つまり、正面部１０の内側からカバーされた状態）となる。副体部１０１Ｃは、その展開状態において、前後方向の中心線を介して左右対称に形成されている。
【０１６２】
なお、本体部３Ｃと副体部１０１Ｃは、本体部３と副体部１０１の場合と同様に、分離部４４の箇所で互いに接着されている。つまり、分離部４４の外側の面と背面部４０の内側の面とが接着剤その他の接着手段により接着されることにより、包装箱２０１が全体に一体に形成される。該接着剤層の接着力は、背面部４０を外側に引っ張った場合に、切目線Ｋ４４が破れて分離部４４が本体部３Ｃから分離し、分離部４４が、背面部４０に接着した状態で背面部４０に従動するような接着力である。
【０１６３】
また、本体部３Ｃと副体部１０１Ｃが接着された状態では、背面部４０の上辺４０Ｔａ、４０Ｔｂ、４０Ｔｃと折れ線Ｃ１２とが高さ方向に略一致（一致としてもよい）した状態となっており、厳密には、折れ線Ｃ１２が上辺４０Ｔａ〜４０Ｔｃよりも若干上側となっている。これにより、上面部１５０により本体部３Ｃの上面を閉じた際に、突状部１５４、１５６、１５３Ａが側面部２０の上辺に接するとともに突状部１５５、１５７、１５３Ｂが側面部３０の上辺に接し、上面部１５０と側面部２０、３０の上辺との間の隙間が形成されるのを防止することができる。
【０１６４】
また、本体部３Ｃと副体部１０１Ｃが接着された状態では、背面部４０の下端と背面部４０の下端が一致（略一致としてもよい）している。
【０１６５】
上記構成の包装箱１Ｂの製造工程は、包装箱１の製造工程と略同様である。すなわち、まず、展開状態の本体部３Ｃと副体部１０１Ｃとを製造する。次に、副体部１０１Ｃの内側の面に本体部３Ｃの外側の面を接着させる（第１接着工程）。つまり、展開状態の副体部１０１Ｃの内側の面を上側にして、背面部４０における分離部４４との接着領域に接着剤を塗布して、展開状態の本体部３Ｃを重ねる。これにより、分離部４４と背面部４０が接着される（第１接着工程）。その際、背面部４０の下辺と背面部４０の下辺とが一致する（略一致するとしてもよい）ようにする。なお、分離部４４の外側の面の領域に接着剤を塗布して、分離部４４を背面部４０に接着させてもよい。
【０１６６】
次に、本体部３Ｃの底面部５０を構成する各部をスリーブ状部５に対して内側に折り返し、さらに、第２片部７０の先端部７４を本体部７２に対して外側に折り返すとともに、第３片部８０の先端部８４を本体部８２に対して外側に折り返す。つまり、第１片部６０を折れ線Ｃ６を介して側面部３０側に折り返し、第２片部７０を折れ線Ｃ７を介して正面部１０側に折り返し、第３片部８０を折れ線Ｃ９−１、Ｃ９−２を介して背面部４０側に折り返し、第４片部９０を折れ線Ｃ８を介して側面部２０側に折り返し、さらに、先端部７４を本体部７２に対して折り返すとともに、先端部８４を本体部８２に対して折り返す。
【０１６７】
次に、先端部７４の領域に接着剤を塗布して（接着剤塗布工程）、側面部３０を折れ線Ｃ１を介して正面部１０の側に内側に折り返す（第２折り返し工程）ことにより、先端部７４が第１片部６０に接着される（第２接着工程）。なお、先端部７４の代わりに、第１片部６０における先端部７４との接着領域に接着剤を塗布してもよい。
【０１６８】
次に、先端部８４の領域と、糊代部４９の領域に接着剤を塗布して（接着剤塗布工程）、背面部４０を折れ線Ｃ３を介して側面部２０の側に内側に折り返す。すると、先端部８４と第４片部９０が接着され、糊代部４９が側面部３０の外側の面に接着される（第３接着工程）。なお、糊代部４９の代わりに、側面部３０における糊代部４９との接着領域に接着剤を塗布してもよく、また、先端部８４の代わりに、第４片部９０における先端部８４との接着領域に接着剤を塗布してもよい。以上のようにして、包装箱１Ｂが製造される。なお、上記の製造は、組立て装置により自動で製造される。以上のように、第１接着工程〜第３接着工程により包装箱１Ｂを製造できるので、容易に包装箱１Ｂを製造することができる。なお、糊代部４９を側面部３０の内側の面に接着する場合には、先端部８４に接着剤を塗布した状態で背面部４０を折り返し、その後に、先端部７４と糊代部４９に接着剤を塗布した状態で側面部３０を折り返すことになる。
【０１６９】
包装箱１Ｂの製造方法によれば、側面部３０を正面部１０の側に折り返し、さらに、背面部４０を側面部２０の側に折り返すので、包装箱１の場合に比べて正面部１０を折り返す必要がなく、折り返しの操作を行いやすいという効果がある。すなわち、正面部１０には切欠部Ｋ１０が設けられているので、組立て装置により組み立てる場合に、正面部１０を治具によりつかんで折り返すのが困難であるが、包装箱１Ｂの場合には、切欠部Ｋ１０が設けられた正面部１０を折り返す必要がないので、結果として包装箱の製造が容易となる。
【０１７０】
なお、本体部３Ｃと副体部１０１Ｃとを接着した際に、本体部３Ｃと副体部１０１Ｃの相対位置が正しいか否かは、上記と同様に、位置合わせ確認用の切込みにより確認することができる。
【０１７１】
なお、上記の製造工程において、第３片部８０を側面部３０側に折り返し、第４片部９０を背面部４０側に折り返し、さらに、先端部８４を本体部８２に対して折り返す工程は、側面部３０を正面部１０の側に折り返して、先端部７４を第１片部６０に接着した後で、先端部８４の領域と、糊代部４９の領域に接着剤を塗布する前に行ってもよい。その場合、上記折返し工程では、第１片部６０と第２片部７０を折り返して、先端部７４を折り返し、その後、先端部７４に接着剤を塗布することになる。
【０１７２】
また、先端部７４への接着剤の塗布は、第２片部７０を折り返し先端部７４を折り返した状態で行うとしたが、第２片部７０を側面部２０に対して折り返す前の状態で、先端部７４に接着剤を塗布した後に、第２片部７０を折り返しながら先端部７４を折り返すようにしてもよい。
【０１７３】
また、先端部８４への接着剤の塗布は、第３片部８０を折り返し先端部８４を折り返した状態で行うとしたが、第３片部８０を側面部３０に対して折り返す前の状態で、先端部８４に接着剤を塗布した後に、第３片部８０を折り返しながら先端部８４を折り返すようにしてもよい。なお、先端部８４への接着剤の塗布は、先端部７４と第１片部６０を接着した後で行ってもよい。
【０１７４】
また、包装箱１Ｂの使用方法は、包装箱１と同様であり、副体部１０１Ｃを閉状態にした際には、正面部１１０とフラップ１６０、１７０が上面部１５０に対して折り曲げられ、正面部１１０が正面部１０の内側に正面部１０の内側の面に沿って配置され、フラップ１６０が、側面部２０の内側に側面部２０の内側の面に沿って配置され、フラップ１７０が、側面部３０の内側に側面部３０の内側の面に沿って配置され、上面部１５０は、本体部３Ｃの上面をカバーした状態となる。
【０１７５】
なお、図２３に示す副体部１０１Ｂや図２６に示す副体部１０１Ｃにおいては、フラップ１７０が設けられているので、被収納物が箱状等の硬いものである場合には、側面部３０と被収納物との間にも隙間を設けて、フラップ１７０を側面部３０の内側に配置できるようにする。
【０１７６】
なお、包装箱１Ｂにおいても、前後方向の中心面を介して左右対称としてもよい。その場合には、側面部２０が本体部３Ｃの右側面側の面を構成し、側面部３０が本体部３Ｃの左側面側の面を構成する。つまり、本体部第１側面部が左側面側で本体部第２側面部が右側面側とした場合には、側面部２０は本体部第１側面部となり、側面部３０が本体部第２側面部となり、逆に、本体部第１側面部が右側面側で本体部第２側面部が左側面側とした場合には、側面部２０は本体部第２側面部となり、側面部３０が本体部第１側面部となる。
【０１７７】
なお、本体部３Ｂにおいて、糊代部４９を側面部２０から連設してもよく、また、本体部３Ｃにおいて、糊代部４９を側面部３０から連設してもよい。
【０１７８】
また、上記の説明において、本体部３の４つの側面はスリーブ状部５により形成されているとしたが、方形状の板状の底面部の各辺から正面部と２つの側面部と背面部とがそれぞれ連設され、正面部と２つの側面部と背面部において隣接する各部が糊代部を介して連設された構成としてもよい。糊代部としては、例えば、２つの側面部において、正面側と背面側とに糊代部が折れ線を介して連設され、正面部と背面部に糊代部が接着された構成とする。このような構成の場合には、正面部と２つの側面部と背面部により側面構成部が構成される。
【実施例２】
【０１７９】
次に、実施例２の包装箱２０１について説明する。包装箱２０１は、図２７〜図３０に示すように構成され、包装箱２０１は、本体部２０３と、本体部２０３に接着して取り付けられた副体部３０１とを有している。
【０１８０】
本体部２０３と副体部３０１は、それぞれ、１枚のシート状のブランク（具体的には、段ボール製（例えば、薄型段ボール製）のブランクであり、厚紙製のブランク等の他の紙製のブランクでもよい）により形成されている。つまり、包装箱２０１は、段ボール材（特に、両面段ボール材）等の紙製の包装箱である。段ボールにおける断面略波形形状の中芯の段の方向は、図２９、図３０における円内に示す方向となっていて、本体部２０３においては、折れ線Ｃ２１〜Ｃ２４と平行になっていて（なお、段ボールにおける中芯の段の方向はこれには限られない）、副体部３０１においては、折れ線Ｃ３１ａ、Ｃ３１ｂ、Ｃ３２と直角の方向になっている。なお、段ボールにおける中芯の段の方向はこれには限られない）。
【０１８１】
本体部２０３は、実施例１の本体部３と略同様の構成であるが、正面部２１０と背面部２４０の構成が異なる。
【０１８２】
すなわち、本体部２０３は、全体に上部が開口した容器状を呈し、図２７〜図２９等に示すように、スリーブ状部（側面構成部）２０５と、底面部２５０とを有している。スリーブ状部２０５は、包装箱２０１の組立て状態では、底面部２５０の周囲から立設して形成され、正面部２１０と、側面部２２０と、側面部２３０と、背面部２４０と、糊代部２４９とを有し、正面部２１０、側面部２２０、背面部２４０、側面部２３０、糊代部２４９の順に折れ線を介して連設されている。つまり、側面部２２０は、正面部２１０から折れ線Ｃ２１を介して連設され、背面部２４０は、側面部２２０から折れ線Ｃ２２を介して連設され、側面部２３０は、背面部２４０から折れ線Ｃ２３を介して連設され、糊代部２４９は、側面部２３０から折れ線Ｃ２４を介して連設されている。折れ線Ｃ２１〜Ｃ２４は、本体部２０３の展開状態において、互いに平行であり、いずれも直線状を呈している。
【０１８３】
ここで、正面部（本体部正面部）２１０は、方形状（具体的には、長方形状）の外形を有し、左右方向における中央やや上側に差込み片３２２を差し込むための被差込み部２１２が設けられている。この被差込み部２１２は、横長長方形状の開口部２１４と、開口部２１４の右側面側の端部から上方に向けて形成された直線状の切込み２１５と、開口部２１４の左側面側の端部から上方に向けて形成された直線状の切込み２１６と、切込み２１５の上端と切込み２１６の上端間に形成された折曲げ用の罫線２１７とを有している。罫線２１７は、本体部２０３の内側の面から押圧した押罫である。開口部２１４と切込み２１５、２１６と罫線２１７により囲まれた領域が片部２１８となる。開口部２１４の上辺と下辺及び罫線２１７は、互いに平行で、正面部２１０の下辺と平行に形成されている。開口部２１４の左右方向の長さは、差込み片３２２を差込み可能なように、差込み片３２２の左右方向の長さ以上の長さに形成され、また、開口部２１４の上下方向の長さは、差し込まれた差込み片３２２が容易に抜けることがない長さに形成され、差込み片３２２の基端から先端までの長さの半分以下に形成されている。また、差込み片３２２を被差込み部２１２に差し込んだ際に、正面部３１０の本体部３２０が正面部２１０の外側の面に沿った状態となるように、正面部２１０の上辺から開口部２１４の下辺までの長さＬ２２０は、本体部３２０の基端から先端までの長さＬ３２０と略同一となっている。正面部２１０は、上下方向の中心線を介して左右対称に形成されている。
【０１８４】
また、側面部２２０は、正面部２１０の左側面側の端部から折れ線Ｃ２１を介して連設され、方形状（具体的には、長方形状）を呈している。つまり、側面部２２０の上辺は、側面部２２０の下辺（第２片部２７０との間の折れ線Ｃ２７に沿った辺部）と平行に形成され、側面部２２０の上辺は、直線状に形成されている。
【０１８５】
また、側面部２３０は、背面部２４０の右側面側の端部から折れ線Ｃ２３を介して連設され、側面部２２０と同大同形状に形成されている。側面部２３０の上辺は、側面部２３０の下辺（第３片部２８０との間の折れ線Ｃ２９に沿った辺部）と平行に形成され、側面部２３０の上辺は、直線状に形成されている。なお、側面部２２０の上辺は下辺と平行で、側面部２３０の上辺は下辺と平行であるとしたが、下辺と平行でなくてもよく、下辺に対して傾斜していてもよい。
【０１８６】
なお、本体部第１側面部が左側面側で本体部第２側面部が右側面側とした場合には、側面部２２０は本体部第１側面部となり、側面部２３０が本体部第２側面部となり、逆に、本体部第１側面部が右側面側で本体部第２側面部が左側面側とした場合には、側面部２２０は本体部第２側面部となり、側面部２３０が本体部第１側面部となる。
【０１８７】
また、背面部（本体部背面部）２４０は、側面部２２０の背面側の端部から折れ線Ｃ２２を介して連設され、方形状（具体的には、長方形状）における上側の一部を切り欠いた形状を呈し、背面部２４０の上辺２４０Ｔａ、２４０Ｔｂは、同じ高さに形成され（つまり、背面部２４０の下辺に平行な同一直線状に形成されている）、側面部２２０の上辺や側面部２３０の上辺と同じ高さに形成されている。背面部２４０の上端には、上辺から連設された切欠部Ｋ２４０が形成されていて、切欠部Ｋ２４０は、上辺２４０Ｔａと上辺２４０Ｔｂ間に形成されている。
【０１８８】
切欠部Ｋ２４０は、上辺２４０Ｔａから連設された略円弧状の辺部２４０ａと、辺部２４０ａの端部から連設され、下方に向けて直線状に形成された辺部２４０ｂと、辺部２４０ｂの下端から連設され、横方向（背面部２４０の下辺と平行な方向）に形成された直線状の辺部２４０ｃと、辺部２４０ｃの左側面側の端部から上方に直線状に形成された辺部２４０ｄと、辺部２４０ｄの上端から上辺２４０Ｔｂまで形成された略円弧状の辺部２４０ｅとを有し、辺部２４２ｃにおける左右両側の位置からは位置合わせ用の切込み２４０ｆ、２４０ｇが上下方向に形成されている。なお、切込み２４０ｆ、２４０ｇは、背面部２４０の一方の面から他方の面まで貫通している。辺部２４０ａは、上辺２４０Ｔａと辺部２４０ｂがなす角部を円弧状に面取りしており、辺部２４０ｅは、上辺２４０Ｔｂと辺部２４０ｄがなす角部を円弧状に面取りしている。なお、背面部２４０には、切欠部Ｋ２４０が形成されている関係で、辺部２４０ａ〜２４０ｅも背面部２４０の上辺を構成するといえる。
【０１８９】
また、背面部２４０には、辺部２４０ｃと切目線Ｋ２４４により囲まれた分離部２４４が設けられ、切目線Ｋ２４４は、辺部２４０ｂの延長線上に下方に向けて形成された切目線Ｋ２４４ａと、切目線Ｋ２４４ａの下端から連設された略円弧状の切目線Ｋ２４２ｂと、切目線Ｋ２４４ｂの端部から横方向（背面部２４０の下辺と平行な方向）に形成された直線状の切目線Ｋ２４４ｃと、切目線Ｋ２４４ｃの左側面側の端部から連設された略円弧状の切目線Ｋ２４４ｄと、切目線Ｋ２４４ｄの端部から上方に向けて辺部２４０ｄの下端まで形成された切目線Ｋ２４４ｅとを有していて、切目線Ｋ２４４は全体に略Ｕ字状を呈している。切目線Ｋ２４４ｃは、背面部２４０の下辺の近傍に設けられている。切目線Ｋ２４４ａ、Ｋ２４４ｅは、ミシン目状の切目線（間隔をおきながら連続して形成された切込みにより形成された切目線）であり、切目線Ｋ２４４ｂ、Ｋ２４４ｃ、Ｋ２４４ｄは、連続した切込みからなる切目線である。つまり、切目線Ｋ２４４は、全体として、切断予定線であるといえる。切目線Ｋ２４４を構成する切目線Ｋ２４４ａ〜Ｋ２４４ｅは、背面部２４０の一方の面から他方の面まで貫通している。辺部２４０ｃは、背面部２４０の上辺の一部であるといえるので、分離部２４４は、背面部２４０の上辺の一部である上辺部分（つまり、辺部２４０ｃ）と切目線Ｋ２４４により囲まれている。
【０１９０】
なお、切目線Ｋ２４４は、略Ｕ字状であるとしたが、これには限られず、例えば、切目線Ｋ２４４ｂ〜Ｋ２４４ｄを円弧状としたＵ字状としてもよく、また、略Ｖ字状としてもよい。
【０１９１】
背面部２４０は、分離部２４４と、背面部２４０における分離部２４４以外の領域である本体部（背面本体部）２４２とを有しており、上記切欠部Ｋ２４０は、本体部２４２に形成されている。
【０１９２】
背面部２４０は、切目線Ｋ２４４を含めて、上下方向の中心線を介して左右対称に形成され、上辺２４０Ｔａと上辺２４０Ｔｂ、辺部２４０ａと辺部２４０ｅ、辺部２４０ｂと辺部２４０ｄ、切目線Ｋ２４４ａと切目線２４２ｅ、切目線Ｋ２４４ｂと切目線Ｋ２４４ｄは、それぞれ左右線対称に形成されている。
【０１９３】
また、糊代部２４９は、側面部２３０の正面側の端部から折れ線Ｃ２４を介して連設され、縦方向に細長の略帯状台形形状を呈している。この糊代部２４９は、その外側の面が正面部２１０の右側面側の端部領域の内側の面に接着されている。実施例１の場合と異なり、糊代部２４９が正面部２１０の内側の面に接着されているのは、副体部３０１の閉状態において、正面部３１０の本体部３２０は正面部２１０の外側となることから、実施例１のように正面部２１０の外側の面に接着する必要がないからである。なお、糊代部２４９を正面部３１０の外側の面に接着してもよいが、差込み片３２２が被差込み部２１２に差し込まれて本体部３２０が正面部２１０の外側の面に沿った状態となるため、糊代部２４９を正面部２１０の内側の面に接着するのが好ましい。
【０１９４】
なお、本体部２０３の展開状態において、折れ線Ｃ２６、Ｃ２７、Ｃ２８、Ｃ２９は同一直線上に形成されている。
【０１９５】
次に、底面部２５０は、いわゆるワンタッチ底であり、第１片部（底面部第１片部）２６０と、第２片部（底面部第２片部）２７０と、第３片部（底面部第３片部）２８０と、第４片部（底面部第４片部）２９０とを有し、包装箱２０１の組立て状態においては、図３８に示すように、略方形状の外形を呈している。
【０１９６】
底面部２５０を構成する各部の構成は、先端部２８４に先端部８４における切欠部Ｋ８４のような切欠部が設けられていない点以外は同一の構成である。
【０１９７】
すなわち、第１片部２６０は、正面部２１０の下端から折れ線Ｃ２６を介して連設され、先端側にいくほど幅狭となる略台形形状に形成されている。第１片部２６０は、第１片部６０と同一の構成であるので、詳しい説明を省略する。
【０１９８】
また、第２片部２７０は、側面部２２０の下端から折れ線Ｃ２７を介して連設され、略長方形状に形成されている。第２片部２７０は、第２片部７０と同一の構成であるので、詳しい説明を省略する。なお、第２片部２７０は、折れ線２７０−１を介して本体部２７２と先端部２７４とに区画される。本体部２７２の先端の先端部２７４側には、他方の本体部２８２と互いに係止するように切欠部Ｋ２７２が形成されている。また、先端部２７４の上面は、第１片部２６０の下面に接着されている。
【０１９９】
また、第３片部２８０は、側面部２３０の下端から折れ線Ｃ２９を介して連設され、底面部２５０の組立て状態においては、第２片部２７０と底面部２５０の中心位置を介して点対称に形成されている。第３片部２８０は、第２片部２７０と点対称である以外は同一の構成であるので、詳しい説明を省略する。なお、第３片部２８０は、折れ線２８０−１を介して本体部２８２と先端部２８４とに区画される。本体部２８２の先端の先端部２８４側には、他方の本体部２７２と互いに係止するように切欠部Ｋ２８２が形成されている。また、先端部２８４の上面は、第４片部２９０の下面に接着されている。
【０２００】
また、第４片部２９０は、背面部２４０の下端から折れ線Ｃ２８を介して連設され、先端側にいくほど幅狭となる略台形形状に形成されている。第４片部２９０は、第１片部２６０と底面部５０の中心位置を介して略点対称に形成されている。第４片部２９０は、第１片部２６０と点対称である以外は同一の構成であるので、詳しい説明を省略する。
【０２０１】
以上のように、底面部２５０において、隣接する２つの片部（第１片部２６０と第２片部２７０）である底面部第１片部対の一方における他方の側の部分である先端部（第１端部領域）２７４が折れ線を介して折曲げ可能であり、該先端部２７４が第１片部２６０に接着され、他の隣接する２つの片部（第３片部２８０と第４片部２９０）である底面部第２片部対の一方における他方の側の部分である先端部（第２端部領域）２８４が折れ線を介して折曲げ可能であり、該先端部２８４が第４片部２９０に接着されている。
【０２０２】
本体部２０３を箱状に組み立てた状態では、正面部２１０と背面部２４０とが互いに平行になり、側面部２２０と側面部２３０とが互いに平行になり、底面部２５０を構成する各部材は、正面部２１０、側面部２２０、２３０、背面部２４０に対して略直角（直角でもよい）となる。つまり、スリーブ状部２０５は、底面部２５０に対して略直角（直角でもよい）となる。また、スリーブ状部２０５を構成する各部材（正面部２１０、側面部２２０、２３０、背面部２４０）における隣接する部材は互いに直角（略直角としてもよい）となっている。
【０２０３】
また、本体部２０３は、平板状に折り畳むことができ（図３４参照）、本体部２０３においては、正面部２１０と側面部２２０との角度を小さくし（つまり、直角より小さくする）、背面部２４０と側面部２３０との角度を小さくさせる（つまり、直角より小さくする）ことにより、四角筒状のスリーブ状部２０５が扁平になるとともに、底面部２５０を構成する各部がスリーブ状部２０５内に回動して、本体部２０３を全体に平板状に折り畳むことができる。本体部２０３を折り畳んだ状態では、底面部２５０を構成する各部は、スリーブ状部２０５内にスリーブ状部２０５を構成する正面部２１０、側面部２２０、２３０、背面部２４０に対して略平行な状態となる。
【０２０４】
次に、副体部３０１は、主として、本体部２０３の分離部２４４と接着するとともに、本体部２０３の上面をカバーするためのものであり、図２７、図２８、図３０に示すように、正面部３１０と、背面部３４０と、上面部３５０と、フラップ３６０とを有している。
【０２０５】
ここで、正面部（副体部正面部）３１０は、上面部３５０から折れ線Ｃ３１ａを介して連設された本体部３２０と、本体部３２０の先端から折れ線Ｃ３１ｂを介して連設された差込み片３２２とを有している。折れ線Ｃ３１ｂは直線状を呈し、折れ線Ｃ３１ａと平行に形成されている。
【０２０６】
本体部３２０は、折れ線Ｃ３１ａと直角をなす直線状の辺部３１０ａと、辺部３１０ａの端部から連設された略円弧状の辺部３１０ｂと、辺部３１０ｂの端部から連設され、折れ線Ｃ３１ａと平行な直線状の辺部３１０ｃと、折れ線Ｃ３１ｂの端部から連設され、折れ線Ｃ３１ａと平行な辺部３１０ｄと、辺部３１０ｄの端部から連設された略円弧状の辺部３１０ｅと、辺部３１０ｅの端部から連設され、折れ線Ｃ３１ａに対して直角をなす直線状の辺部３１０ｆとを有している。辺部３１０ｃと辺部３１０ｄ間には、差込み片３２２との間の折れ線Ｃ３１ｂが設けられ、辺部３１０ｃと折れ線Ｃ３１ｂと辺部３１０ｄは、同一直線状に形成されている。辺部３１０ｂは、辺部３１０ａと辺部３１０ｃがなす角部を円弧状に面取りしており、辺部３１０ｅは、辺部３１０ｆと辺部３１０ｄがなす角部を円弧状に面取りしている。
【０２０７】
また、差込み片３２２は、本体部３２０の先端から突出して形成され、差込み片３２２は、辺部３１０ｃと直角の直線状の辺部３２２ａと、辺部３２２ａの端部から連設された略円弧状の辺部３２２ｂと、辺部３２２ｂの端部から連設され折れ線Ｃ３１ｂの方向に対して傾斜して形成された辺部３２２ｃと、辺部３２２ｃの端部から連設され折れ線Ｃ３１ｂの方向に対して傾斜して形成された辺部３２２ｄと、辺部３２２ｄの端部から連設された略円弧状の辺部３２２ｅと、辺部３２２ｅの端部から辺部３１０ｄの端部まで形成され辺部３１０ｄに対して直角をなす直線状の辺部３２２ｆとを有し、辺部３２２ｃは、辺部３２２ｄ側にいくほど折れ線Ｃ３１ｂとの距離が長くなり、辺部３２２ｄは、辺部３２２ｃ側にいくほど折れ線Ｃ３１ｂとの距離が長くなり、辺部３２２ｃと辺部３２２ｄにより差込み片３２２の先端が尖った形状を呈している。なお、差込み片３２２は、折れ線Ｃ３１ｂに対する直角の中心線を介して、左右線対称に形成されている。
【０２０８】
また、背面部（副体部背面部）３４０は、上面部３５０から折れ線Ｃ３２を介して連設され、実施例１の背面部１４０と同一の構成であり、背面部３４０は、方形状を呈し、その左右方向の長さは、正面部３１０の左右方向の最大幅（上面部１５０側の端部における長さ）と同一であり、背面部２４０の左右方向の長さよりも若干短くなっており、また、上下方向の長さは、背面部２４０の上下方向の長さ（背面部２４０の上辺と下辺間の長さ）と略同一に（具体的には、若干長く）形成されていて、背面部３４０が背面部２４０に接着された状態では、背面部３４０の下端と背面部２４０の下端が一致した状態となっている。なお、背面部３４０の上面部３５０側の領域には、位置合わせ確認用の切込みＫ３４０、Ｋ３４２が設けられている。切込みＫ３４０は切込みＫ１４０と同一の構成であり、切込みＫ３４２は切込みＫ１４２と同一の構成である。すなわち、切込みＫ３４０は、逆Ｔ字状を呈し、切込みＫ３４０は、横方向の切込みＫ３４０ａと縦方向の切込みＫ３４０ｂとを有している。同様に、切込みＫ３４２は、逆Ｔ字状を呈し、切込みＫ３４２は、横方向の切込みＫ３４２ａと縦方向の切込みＫ３４２ｂとを有している。なお、切込みＫ３４０、Ｋ３４２は、背面部３４０の背面側の面（包装箱２０１において背面側に露出した面）に表れないように、正面側から半切れとなっている。
【０２０９】
また、上面部３５０は、実施例１の上面部１５０と同一の構成であり、上面部３５０は、略方形状を呈し、方形状の左側面側に突状部３５４、３５６を設けるとともに右側面側に突状部３５８を設けた形状を呈し、上面部３５０における突状部３５４、３５６、３５８以外の領域が本体部３５２となり、本体部３５２は方形状を呈する。本体部３５２の左右方向の長さは、正面部３１０の左右方向の最大幅と同一であり、本体部３５２の前後方向の長さ（折れ線Ｃ３１ａと折れ線Ｃ３２間の長さ）は、側面部３２０、３３０の前後方向の長さと略同一となっている（厳密には、若干長くなっている。つまり、背面部３４０が背面部２４０の背面側の面に接着され、正面部３１０の本体部３２０が正面部２１０の外側（正面側）に配置されるので、本体部３５２の前後方向の長さは、側面部３２０、３３０の前後方向の長さよりも若干長くなっている。副体部３０１の閉状態では、上面部３５０により本体部２０３の上面側が閉じた（つまり、カバーされた）状態となる。なお、折れ線Ｃ３１ａと折れ線Ｃ３２は直線状を呈し互いに平行になっている。
【０２１０】
また、突状部３５４と突状部３５６は、本体部３５２の左側面側の辺部に沿って形成され、突状部３５４と突状部３５６は、前後方向の間隔を介して形成されている。突状部３５４は、突状部１５４と同一の構成であり、突状部３５６は、突状部１５６と同一の構成であるので、詳しい説明を省略する。なお、突状部３５４、３５６の基端から先端までの長さは、副体部３０１を閉状態にした際、突状部３５４、３５６の下面が側面部３２０の上辺の上側にあって該上辺に接する長さとなっている。具体的には、突状部３５４、３５６の先端が、側面部３２０の外側の面よりも左側面側に若干突出する長さとなっている。なお、上面部３５０の撓み具合によっては、突状部３５４、３５６の内側の面の一部のみが側面部２２０の上辺に接し、突状部３５４、３５６の内側の面における他の部分は側面部２２０の上辺の上方に位置する場合もあり、また、上面部３５０の撓み具合によっては、副体部３０１を閉状態で静置した場合には、突状部３５４、３５６が側面部２２０の上辺に接触せずに側面部２２０の上辺の上方に位置する場合もあるが（この場合でも、上方から上面部３５０を押さえることにより、側面部２２０の上辺に接触する）、いずれにしても突状部３５４、３５６が側面部２０の上辺の上側にある。つまり、突状部３５４、３５６の内側の面が側面部２２０の上辺の上側にあるためには、突状部３５４、３５６の先端が、左右方向において側面部２２０の内側の面よりも左側面側（つまり、外側）であればよい。突状部３５４と突状部３５６は、同大同形状に形成されている。
【０２１１】
また、突状部３５８は、本体部３５２の右側面側の辺部に沿って形成されている。突状部３５８は、突状部１５８と同一の構成であるので、詳しい説明を省略する。なお、突状部３５８の基端から先端までの長さは、副体部３０１を閉状態にした際、突状部１５８の内側の下面が側面部２３０の上辺の上側にあって該上辺に接する長さとなっている。具体的には、突状部３５８の先端が、側面部３３０の外側の面よりも右側面側に若干突出する長さとなっている。なお、上面部３５０の撓み具合によっては、突状部３５８の内側の面の一部のみが側面部２３０の上辺に接し、突状部３５８の内側の面における他の部分は側面部２３０の上辺の上方に位置する場合もあり、また、上面部３５０の撓み具合によっては、副体部３０１を閉状態で静置した場合には、突状部３５８が側面部２３０の上辺に接触せずに側面部２３０の上辺の上方に位置する場合もあるが（この場合でも、上方から上面部３５０を押さえることにより、側面部２３０の上辺に接触する）、いずれにしても突状部１５８が側面部３０の上辺の上側にある。つまり、突状部３５８の内側の面が側面部２３０の上辺の上側にあるためには、突状部３５８の先端が、左右方向において側面部２３０の内側の面よりも右側面側（つまり、外側）であればよい。
【０２１２】
また、突状部３５８は、本体部３５２の右側面側の辺部の正面側の端部近傍から背面側の端部近傍にまで形成されている。このように、突状部３５４、３５６、３５８が設けられていることにより、副体部３０１が閉状態において、上面部３５０に対して上方から力が加わっても、突状部３５４、３５６、３５８により側面部３２０と側面部３３０間に上面部３５０を支えるので、上面部３５０が本体部２０３の収納空間内に沈み込むことがない。また、突状部３５８は、本体部３５２の右側面側の辺部の正面側の端部近傍から背面側の端部近傍にまで形成されているので、副体部３０１を閉状態にした際に、側面部３３０の上辺の内側には上方に開口した隙間が形成されず、ゴミや埃が入るのを防止することができる。なお、突状部３５８は、本体部３５２の右側面側の辺部の正面側の端部近傍から背面側の端部近傍にまで形成されているとしたが、「正面側の端部近傍」の代わりに「正面側の端部」としてもよく、「背面側の端部近傍」の代わりに「背面側の端部」としてもよい。
【０２１３】
また、フラップ３６０は、上面部３５０（具体的には、上面部３５０の本体部３５２）の左側面側の辺部から折れ線Ｃ３３−１、Ｃ３３−２、Ｃ３３−３を介して連設され、略台形形状に形成されている。フラップ３６０は、実施例１のフレーム１６０と同一の構成であるので、詳しい説明を省略する。
【０２１４】
上面部３５０の左側面側においては、フラップ３６０が連設されているとともに、フラップ３６０が連設されていない箇所には、突状部３５４、３５６が設けられているので、副体部３０１を閉状態にした際に、側面部３２０の上辺の内側には上方に開口した隙間が形成されず、ゴミや埃が入るのを防止することができる。
【０２１５】
なお、副体部３０１を閉状態にした際には、差込み片３２２が被差込み部２１２に対して正面部２１０の外側から差し込まれ、フラップ３６０が、側面部２２０の内側に側面部２２０の内側の面に沿って配置され、上面部３５０は、本体部２０３の上面をカバーした状態となり、上面部３５０は、側面部２２０、２３０の上辺に沿った状態となり、底面部２５０（特に、スリーブ状部２０５の下辺により囲まれた平面（折れ線Ｃ２６〜Ｃ２９により囲まれた平面））に対して平行（略平行としてもよい）となる。また、副体部３０１を閉状態にした際には、上面部３５０は、背面部３４０に対して直角（略直角としてもよい）となり、正面部３１０（特に、本体部３２０）とフラップ３６０は、上面部３５０に対して直角（略直角としてもよい）となる。
【０２１６】
また、フラップ３６０は、上面部３５０の左側面側からは連設されているものの、上面部３５０の右側面側には連設されていないが、その理由は、実施例１の場合と同様である。
【０２１７】
なお、本体部２０３と副体部３０１は、分離部２４４の箇所で互いに接着されている。つまり、分離部２４４の外側の面と背面部３４０の内側の面とが接着剤その他の接着手段により接着されることにより、包装箱２０１が全体に一体に形成される。つまり、分離部２４４の外側の面の全部又は一部の領域と背面部３４０の内側の面の一部の領域の間には接着剤層（図示せず）が設けられている。該接着剤層の接着力は、背面部３４０を外側に引っ張った場合に、切目線Ｋ２４４が破れて分離部２４４が本体部２０３から分離し、分離部２４４が、背面部３４０に接着した状態で背面部３４０に従動するような接着力である。
【０２１８】
なお、本体部２０３及び副体部３０１において、各折れ線の箇所には、予め罫線が形成されている。特に、折れ線Ｃ２１、Ｃ２２、Ｃ２３、Ｃ２４、Ｃ２６、Ｃ２７、Ｃ２８、Ｃ２９においては、本体部２０３の内側の面から押圧した押罫であり、折れ線Ｃ３１ａ、Ｃ３１ｂ、Ｃ３２、Ｃ３３−１、Ｃ３３−２、Ｃ３３−３においては、副体部３０１の内側の面から押圧した押罫となっている。底面部２５０における折れ線２７０−１、２８０−１は、上面側から見て山折りとなるので、外側の面から押圧した押罫とするのが好ましい。
【０２１９】
また、本体部２０３と副体部３０１が接着された状態では、背面部２４０の上辺２４０Ｔａ、２４０Ｔｂと折れ線Ｃ３２とが高さ方向に略一致（一致としてもよい）した状態となっており、厳密には、折れ線Ｃ３２が上辺２４０Ｔａ、２４０Ｔｂよりも若干上側となっている。これにより、上面部３５０により本体部２０３の上面を閉じた際に、突状部３５４、３５６が側面部２２０の上辺に接するとともに突状部３５８が側面部２３０の上辺に接し、上面部３５０と側面部２２０、２３０の上辺との間の隙間が形成されるのを防止することができる。
【０２２０】
また、本体部２０３と副体部３０１が接着された状態では、背面部３４０の下端と背面部２４０の下端が一致（略一致としてもよい）している。
【０２２１】
上記構成の包装箱２０１の製造工程は、実施例１の包装箱１の製造工程と略同様であるが、糊代部２４９が正面部２１０の内側に接着されるため、側面部２３０を折り返した後に正面部２１０を折り返す点が異なる。
【０２２２】
すなわち、まず、展開状態の本体部２０３と副体部３０１とを製造する。次に、副体部３０１の内側の面に本体部２０３の外側の面を接着させる（第１接着工程）。つまり、展開状態の副体部３０１の内側の面を上側にして、背面部３４０における分離部２４４との接着領域に接着剤を塗布して、展開状態の本体部２０３を図３１に示すように重ねる。これにより、分離部２４４と背面部３４０が接着される（第１接着工程）。その際、背面部２４０の下辺と背面部３４０の下辺とが一致する（略一致するとしてもよい）ようにする。なお、分離部２４４の外側の面の領域に接着剤を塗布して、分離部２４４を背面部３４０に接着させてもよい。
【０２２３】
次に、本体部２０３の底面部２５０を構成する各部をスリーブ状部２０５に対して内側に折り返し、さらに、第２片部２７０の先端部２７４を本体部２７２に対して外側に折り返すとともに、第３片部２８０の先端部２８４を本体部２８２に対して外側に折り返して、図３２に示す状態とする（折り返し工程）。つまり、第１片部２６０を折れ線Ｃ２６を介して正面部２１０側に折り返し、第２片部２７０を折れ線Ｃ２７を介して側面部２２０側に折り返し、第３片部２８０を折れ線Ｃ２９を介して側面部２３０側に折り返し、第４片部２９０を折れ線Ｃ２８を介して背面部２４０側に折り返し、さらに、先端部２７４を本体部２７２に対して折り返すとともに、先端部２８４を本体部２８２に対して折り返して、図３２に示す状態とする。
【０２２４】
次に、先端部２８４の領域に接着剤を塗布して（接着剤塗布工程）、側面部２３０を折れ線Ｃ２３を介して背面部２４０の側に内側に折り返す（第２折り返し工程）ことにより、先端部２８４が第４片部２９０に接着される（第２接着工程）。なお、先端部２８４の代わりに、第４片部２９０における先端部２８４との接着領域に接着剤を塗布してもよい。
【０２２５】
次に、先端部２７４の領域と、糊代部２４９の領域に接着剤を塗布して（接着剤塗布工程）、正面部２１０を折れ線Ｃ２１を介して側面部２２０の側に内側に折り返すことにより、図３３に示す状態とする。すると、先端部２７４と第１片部２６０が接着され、糊代部２４９が正面部２１０の内側の面に接着される（第３接着工程）。なお、糊代部２４９の代わりに、正面部２１０における糊代部２４９との接着領域に接着剤を塗布してもよく、また、先端部２７４の代わりに、第１片部２６０における先端部２７４との接着領域に接着剤を塗布してもよい。以上のようにして、包装箱２０１が製造される。なお、上記の製造は、組立て装置により自動で製造される。以上のように、第１接着工程〜第３接着工程により包装箱２０１を製造できるので、容易に包装箱２０１を製造することができる。なお、糊代部２４９を正面部２１０の外側の面に接着する場合には、先端部２７４に接着剤を塗布した状態で正面部２１０を折り返し、その後に、先端部２８４と糊代部２４９に接着剤を塗布した状態で側面部２３０を折り返すことになる。
【０２２６】
なお、本体部２０３と副体部３０１とを接着した際に、本体部２０３と副体部３０１の相対位置が正しいか否かは、上記実施例１の場合と同様に、位置合わせ確認用の切込みにより確認することができる。位置合わせ確認の方法は、実施例１の場合と同様であるので、詳しい説明を省略する。
【０２２７】
なお、上記の製造工程において、第２片部２７０を側面部２２０側に折り返し、第１片部２６０を正面部２１０側に折り返し、さらに、先端部２７４を本体部２７２に対して折り返す工程は、側面部２３０を背面部２４０側に折り返して、先端部２８４を第４片部２９０に接着した後で、先端部２７４の領域と、糊代部２４９の領域に接着剤を塗布する前に行ってもよい。その場合、上記折返し工程では、第３片部２８０と第４片部２９０を折り返して、先端部２８４を折り返し、その後、先端部２８４に接着剤を塗布することになる。
【０２２８】
また、先端部２７４への接着剤の塗布は、第２片部２７０を折り返し先端部２７４を折り返した状態で行うとしたが、第２片部２７０を側面部２２０に対して折り返す前の状態で、先端部２７４（又は第１片部２６０）に接着剤を塗布した後に、第２片部２７０を折り返しながら先端部２７４を折り返すようにしてもよい。なお、先端部２７４への接着剤の塗布は、先端部２８４と第４片部２９０と接着した後で行ってもよい。
【０２２９】
また、先端部２８４への接着剤の塗布は、第３片部２８０を折り返し先端部２８４を折り返した状態で行うとしたが、第３片部２８０を側面部２３０に対して折り返す前の状態で、先端部２８４（又は第４片部２９０）に接着剤を塗布した後に、第３片部２８０を折り返しながら先端部２８４を折り返すようにしてもよい。
【０２３０】
上記構成の包装箱２０１の使用方法について説明する。包装箱２０１を使用しない状態では、包装箱２０１は図３４に示すように平板状に折り畳むことができるので、折り畳んで保管しておく。
【０２３１】
次に、包装箱２０１を使用する際に、包装箱２０１を組み立てる。すなわち、本体部２０３における正面部２１０と背面部２４０が互いに平行になり、側面部２２０と側面部２３０が互いに平行になるようにし、底面部２５０をスリーブ状部２０５に対して直角となるように組み立てることにより、包装箱２０１が、図２７、図２８に示すように組み立てられる。
【０２３２】
そして、図３５に示すように、本体部２０３に被収納物（商品）Ｇを収納する。なお、図３４の状態から本体部２０３を組み立てた場合には、図２７、図２８に示すように、上面部３５０や正面部３１０は上方に伸びた状態となっていて、本体部２０３の上方が開口した状態になっているので、被収納物Ｇをそのまま本体部２０３の上方から収納すればよい。なお、被収納物が柔らかいものであれば、正面部２１０や側面部２２０と被収納物との間に隙間を設けなくても、側面部２２０の差込みに支障はないが、被収納物Ｇが図３５に示すような箱状等の硬いものである場合には、側面部２２０と被収納物との間に隙間を設けておく。また、正面部３１０についても、差込み片３２２が正面部２１０の内側に向けて差し込まれるので、被収納物Ｇが硬いものである場合には、正面部２１０と被収納物との間に隙間を設けておく。
【０２３３】
被収納物Ｇを収納したら、副体部３０１を閉状態にして被収納物を包装する。すなわち、上面部３５０を正面側に回動させるとともに、フラップ３６０を上面部３５０に対して折り曲げた状態として本体部２０３内に挿入し（つまり、フラップ３６０が側面部２２０の内側となるようにする）、正面部３１０を上面部３５０に対して折り曲げた状態として差込み片３２２を被差込み部２１２に対して外側から差し込んで、図３６〜図３８に示す状態にする。つまり、フラップ３６０が側面部２２０の内側となるようにするとともに、差込み片３２２を被差込み部２１２に差し込むことにより、本体部２０３の上面側を上面部３５０により閉じた状態とする。差込み片３２２を被差込み部２１２に差し込むには、差込み片３２２により片部２１８を押し込みながら、差込み片３２２を開口部２１４に挿入する。差込み片３２２を被差込み部２１２に差し込むことにより、差込み状態となる。
【０２３４】
なお、副体部３０１を閉状態にした際には、上面部３５０が本体部２０３の上面をカバーし、突状部３５４、３５６の下面が側面部２２０の上辺に接し、さらに、突状部３５８の下面が側面部２３０の上辺に接する。また、本体部３２０は正面部２１０と平行で正面部２１０の外側の面に沿った状態となる。
【０２３５】
以上のようにして、被収納物Ｇを包装箱２０１に包装したら、包装箱２０１を被収納物Ｇを陳列する場所に搬送する。
【０２３６】
その後、被収納物を陳列する場合には、切目線Ｋ２４４を破断して、副体部３０１を本体部２０３から分離する。すなわち、差込み片３２２を被差込み部２１２から抜いて（引き出しとしてもよい）差込み状態を解除し、その後、切目線Ｋ２４４を破断する。差込み片３２２を被差込み部２１２から抜く際には、例えば、正面部３１０の本体部３２０の下端に指を引っ掛けて本体部３２０を上方に引っ張り、また、切目線Ｋ２４４の破断に際しては、例えば、正面部３１０の本体部３２０を手でもった状態で本体部３２０を外側に引っ張ることにより、切目線Ｋ２４４を上端から下方に向けて破断する。なお、上面部３５０を背面部３４０の外側に開いた状態で、分離部２４４の上端領域の内側の面に手を接触させた状態で分離部２４４を外側に引っ張ることにより、切目線Ｋ２４４を破断してもよい。なお、被収納物Ｇが収納されている関係で分離部２４４の内側の面に手を接触させることができない場合には、正面部３１０の本体部３２０や上面部３５０を手で持って背面側に引っ張ることにより切目線Ｋ２４４を破断するのが好ましい。
【０２３７】
そして、副体部３０１（厳密には、分離部２４４が接着された副体部３０１）を取り除くことにより、図３９、図４０に示す状態となるので、背面部２４０の側を陳列における正面側として、被収納物Ｇを陳列する。つまり、分離部２４４が分離されたことにより、背面部２４０には、切欠部（切欠部Ｋ２４０と分離部２４４が除かれたことによる切欠部とを合わせた切欠部）Ｋ２４９が形成されるので、この切欠部Ｋ２４９を介して被収納物を視認することができる。
【０２３８】
なお、被差込み部２１２から差込み片３２２を抜いたら、正面部３１０の本体部３２０を手でもって上面部３５０を上方に回動させ、そのまま本体部３２０を背面側に引っ張ることにより切目線Ｋ２４４を破断できるので、差込み片３２２の抜き操作（引き出しとしてもよい）と切目線Ｋ２４４の破断を１つの一連の動作で行なうことができる。
【０２３９】
以上のように、本実施例の包装箱２０１によれば、切目線Ｋ２４４を破断して分離部２４４のみを分離すればよいので、副体部３０１（包装箱２０１の一部）を取り除く作業を容易に行うことができ、被収納物の陳列作業を容易に行なうことができ、特に、差込み片３２２の抜き操作と切目線Ｋ２４４を破断することによる分離部２４４の分離を一連の作業で行なうことができるので、被収納物の陳列作業を容易に行うことができる。
【０２４０】
副体部３０１を閉状態にした際には、上面部３５０が本体部２０３の上面をカバーし、突状部３５４、３５６の下面が側面部２２０の上辺の上側にあり、さらに、突状部３５８の下面が側面部２３０の上辺の上側にあるので、包装箱２０１の強度を高く維持することができる。また、正面部３１０においても、差込み片３２０が被差込み部２１２に差し込まれた状態では、本体部３２０は差込み片３２０に支持され、本体部３２０の下端が被差込み部２１２よりも下方に行くことがないので、正面部３１０によっても上面部３５０を支えており、副体部３０１の閉状態における包装箱２０１の強度を高く維持することができ、例えば、上面部３５０に対して上から力が加わっても、上面部３５０が下方に沈み込むのを防止することができる。
【０２４１】
また、実施例１の場合と同様に、本体部２０３と副体部３０１は、展開状態において略方形状を呈するので、ブランクの面積を有効活用できる。つまり、本実施例の包装箱２０１の２つ分をシート状のブランクから形成する場合に、図４１に示すように、領域Ｒ１０１の面積があればよい。
【０２４２】
一方、仮に、本体部２０３と副体部３０１を一体にしたものに近似した包装箱１１０１の２つを１つのブランクで形成しようとすると、図４２に示す構成となり、領域Ｒ１１１の面積が必要になってしまい、図４２のハッチングに示す２つの領域が無駄になってしまうことから、領域Ｒ１０１の面積を領域Ｒ１１１の面積よりも小さくできる。
【０２４３】
なお、図４２に示す包装箱１１０１においては、背面部２４０’から切目線Ｋ２４０’を介して上面部３５０が連設されており、背面部２４０’には、包装箱２０１と異なり、分離部は設けられていない。被収納物を陳列する場合には、切目線Ｋ２４０’を破断して、上面部３５０と正面部３１０とフラップ３６０を取り除くことになる。この包装箱１１０１においては、背面部２４０’と上面部３５０とが切目線Ｋ２４０’により連設されているので、上面部３５０に上側から力が加わった場合に、切目線Ｋ２４０’が破断しやすく、本実施例の包装箱２０１よりも強度が弱いと言える。つまり、本実施例の包装箱２０１では、背面部２４０と背面部３４０が重なる構成であるにも関わらず、本体部２０３と副体部３０１がともに略方形状を呈するので、ブランクの面積を有効活用でき、さらには、上面部３５０の辺部に沿って切目線が存在しないので、強度を高めることができるといえる。
【０２４４】
なお、上記の説明において、フラップ３６０は上面部３５０の左側面側から連設されているとしたが、副体部３０１を前後方向の中心面を介して左右対称の構成として、フラップ３６０を上面部３５０の右側面側から連設された構成としてもよい。その場合には、本体部３０３についても、前後方向の中心面を介して左右対称の構成とする。このように、左右対称の構成とする場合には、包装箱の製造に際しては、図３１においては、本体部２０３と副体部３０１を左右線対称にして（つまり、表裏を逆にして）配置することになる。
【０２４５】
また、上記の説明では、切目線Ｋ２４４を破断することにより、背面部２４０には、切欠部Ｋ２４０と一体となった切欠部が形成されるとしたが、背面部２４０に切目線Ｋ２４４の代わりに無端状（周状としてもよい）の切目線を設けて、この無端状の切目線で囲まれた領域を分離部とし、分離部を分離した状態では、背面部２４０に開口部形成される構成としてもよい。その場合でも、この開口部を介して被収納物を外部から視認することができる。
【０２４６】
また、底面部２５０においては、正面部２１０から第１片部２６０が連設され、側面部２２０から第２片部２７０が連設されるとしたが、組立て状態における本体部２０３の左右方向の長さが前後方向の長さよりも長い場合等には、正面部２１０から第２片部２７０が連設され、側面部２２０から第１片部２１０が連設される構成としてもよい。その場合でも、先端部２７４は、第２片部２７０における第１片部２６０側に形成され、例えば、第１片部２６０と第２片部２７０は、本体部２０３の展開状態において第１片部２６０と第２片部２７０間の中心線を介して左右対称となる。同様に、側面部２３０から第３片部２８０が連設され、背面部２４０から第４片部２９０が連設されるとしたが、側面部２３０から第４片部２９０が連設され、背面部２４０から第３片部２８０が連設される構成としてもよい。その場合でも、先端部２８４は、第３片部２８０における第４片部２９０側に形成され、例えば、第３片部２８０と第４片部２９０は、本体部２０３の展開状態において第３片部２８０と第４片部２９０間の中心線を介して左右線対称となる。
【０２４７】
また、上記の説明においては、副体部３０１におけるフラップは上面部１５０における１つの辺部のみから連設されているとしたが、図４３に示すように、上面部３５０における相対する２つの辺部から連設した構成としてもよい。すなわち、図４３に示す副体部３０１Ａにおいては、フラップ３６０が、上面部３５０の左側面側の辺部から折れ線Ｃ３３−１、Ｃ３３−２、Ｃ３３−３を介して連設されているとともに、フラップ３７０が、上面部３５０の右側面側の辺部から折れ線Ｃ３４−１、Ｃ３４−２、Ｃ３４−３を介して連設されている。
【０２４８】
フラップ（第２フラップ）３７０は、副体部３０１Ａの展開状態において、前後方向の中心線を介してフラップ３６０と左右対称に形成されている以外は同様の構成である。すなわち、フラップ３７０は、略台形形状を呈している。副体部３０１Ａを閉状態にした際には、フラップ３７０は、側面部２３０の内側に側面部２３０の内側の面に沿って配置される。
【０２４９】
また、副体部３０１Ａにおいては、上面部３５０の右側面側に突状部（第２突状部）３５５、３５７が設けられている。突状部３５５は、副体部３０１Ａの展開状態において、前後方向の中心線を介して突状部３５４と左右対称に形成されている以外は同様の構成であり、また、突状部３５７は、副体部３０１Ａの展開状態において、前後方向の中心線を介して突状部３５６と左右対称に形成されている以外は同様の構成である。突状部３５５と突状部３５７は、副体部３０１Ａの展開状態において、上面部３５０とフラップ３７０の境界位置に切込みを形成することにより設けられている。
【０２５０】
つまり、突状部３５５と突状部３５７は、ともに先端側に行くほど幅狭（つまり、前後方向の長さが短くなる）となる略台形形状に形成され、突状部３５５、３５７の基端から先端までの長さは、副体部３０１Ａを閉状態にした際（つまり、副体部３０１Ａの閉状態において、上面部３５０は、本体部２０３の上面をカバーしている）、突状部３５５、３５７の内側の面（つまり、上面部３５０が本体部２０３の上面をカバーした状態では、突状部３５５、３５７の下面）が側面部２３０の上辺の上側にあって該上辺に接する長さとなっている。具体的には、突状部３５５、３５７の先端が、側面部２３０の外側の面よりも右側面側に若干突出する長さとなっている。なお、上面部３５０の撓み具合によっては、突状部３５５、３５７の内側の面の一部のみが側面部２３０の上辺に接し、突状部３５５、３５７の内側の面における他の部分は側面部２３０の上辺の上方に位置する場合もあり、また、上面部３５０の撓み具合によっては、副体部３０１Ａを閉状態で静置した場合には、突状部３５５、３５７が側面部２３０の上辺に接触せずに側面部２３０の上辺の上方に位置する場合もあるが（この場合でも、上方から上面部３５０を押さえることにより、突状部３５５、３５７が側面部２３０の上辺に接触する）、いずれにしても突状部３５５、３５７が側面部２３０の上辺の上側にある。つまり、突状部３５５、３５７の内側の面が側面部２３０の上辺の上側にあるためには、突状部３５５、３５７の先端が、左右方向において側面部２３０の内側の面よりも右側面側（つまり、外側）であればよい。突状部３５５と突状部３５７は、同大同形状に形成されている。
【０２５１】
副体部３０１Ａによれば、上面部３５０の右側面側において、フラップ３７０が連設されているとともに、フラップ３７０が連設されていない箇所には、突状部３５５、３５７が設けられているので、副体部３０１Ａを閉状態にした際に、側面部３３０の上辺の内側には上方に開口した隙間が形成されず、ゴミや埃が入るのを防止することができる。
【０２５２】
また、突状部３５５、３５７が設けられているので、副体部３０１Ａを閉状態にした際には、突状部３５５、３５７の下面が側面部３３０の上辺の上側にあるので、副体部３０１Ａの閉状態における包装箱の強度を高く維持することができ、例えば、上面部３５０に対して上から力が加わっても、上面部３５０が下方に沈み込むのを防止することができる。
【０２５３】
また、上記の説明において、本体部２０３の４つの側面はスリーブ状部２０５により形成されているとしたが、方形状の板状の底面部の各辺から正面部と２つの側面部と背面部とがそれぞれ連設され、正面部と２つの側面部と背面部において隣接する各部が糊代部を介して連設された構成としてもよい。糊代部としては、例えば、２つの側面部において、正面側と背面側とに糊代部が折れ線を介して連設され、正面部と背面部に糊代部が接着された構成とする。このような構成の場合には、正面部と２つの側面部と背面部により側面構成部が構成される。
【０２５４】
なお、上記の各実施例において、「略円弧状」として説明した部分は「円弧状」としてもよい。
【符号の説明】
【０２５５】
１、２０１  包装箱
３、３Ａ、３Ｂ、３Ｃ、２０３  本体部
５、２０５  スリーブ状部
１０、１１０、２１０、３１０  正面部
２０、３０、２２０、２３０  側面部
４０、１４０、２４０、３４０  背面部
４２、２４２  本体部
４４、２４４  分離部
４９、２４９  糊代部
５０、２５０  底面部
６０、２６０  第１片部
７０  ２７０  第２片部
７４、８４、２７４、２８４  端部領域
８０、２８０  第３片部
９０、２９０  第４片部
９３  開口部
１０１、１０１Ａ、１０１Ｂ、１０１Ｃ、３０１、３０１Ａ  副体部
１５０、３５０  上面部
１５４、１５５、１５６、１５７、１５８、３５４、３５５、３５６、３５７、３５８  突状部
１６０、１７０、３６０、３７０  フラップ
２２０  被差込み部
３２２  差込み片
Ｋ１０  切欠部
Ｋ２４、Ｋ４４、Ｋ２４４  切目線
【図１】
2019018884.tif 000003
【図２】
2019018884.tif 000004
【図３】
2019018884.tif 000005
【図４】
2019018884.tif 000006
【図５】
2019018884.tif 000007
【図６】
2019018884.tif 000008
【図７】
2019018884.tif 000009
【図８】
2019018884.tif 000010
【図９】
2019018884.tif 000011
【図１０】
2019018884.tif 000012
【図１１】
2019018884.tif 000013
【図１２】
2019018884.tif 000014
【図１３】
2019018884.tif 000015
【図１４】
2019018884.tif 000016
【図１５】
2019018884.tif 000017
【図１６】
2019018884.tif 000018
【図１７】
2019018884.tif 000019
【図１８】
2019018884.tif 000020
【図１９】
2019018884.tif 000021
【図２０】
2019018884.tif 000022
【図２１】
2019018884.tif 000023
【図２２】
2019018884.tif 000024
【図２３】
2019018884.tif 000025
【図２４】
2019018884.tif 000026
【図２５】
2019018884.tif 000027
【図２６】
2019018884.tif 000028
【図２７】
2019018884.tif 000029
【図２８】
2019018884.tif 000030
【図２９】
2019018884.tif 000031
【図３０】
2019018884.tif 000032
【図３１】
2019018884.tif 000033
【図３２】
2019018884.tif 000034
【図３３】
2019018884.tif 000035
【図３４】
2019018884.tif 000036
【図３５】
2019018884.tif 000037
【図３６】
2019018884.tif 000038
【図３７】
2019018884.tif 000039
【図３８】
2019018884.tif 000040
【図３９】
2019018884.tif 000041
【図４０】
2019018884.tif 000042
【図４１】
2019018884.tif 000043
【図４２】
2019018884.tif 000044
【図４３】
2019018884.tif 000045